(57)【特許請求の範囲】
【請求項１】
光ファイバに検出信号を送信するように設置される送信ユニットと、前記光ファイバから返された検出信号を受信するように設置される受信ユニットと、前記検出信号の送信と返された前記検出信号の受信との間の時間差に基づいて前記光ファイバにおける前記検出信号の伝送遅延を確定し、そして前記検出信号伝送遅延に基づいて前記光ファイバにおけるサービス信号の伝送遅延を確定するように設置される伝送遅延確定ユニットと、が含まれる光時間領域反射ＯＴＤＲ非対称性検出モジュールと、
第１の光ファイバにおけるサービス信号伝送遅延と第２の光ファイバにおけるサービス信号伝送遅延に基づいて前記第１の光ファイバと前記第２の光ファイバとの間の非対称性遅延を計算するように設置される遅延補償モジュールと、
前記非対称性遅延に基づいて時間同期補正を行うように設置される時間同期補正モジュールと、
前記検出信号である固定波長の反射シートで、相手側の時間同期装置の送信モジュールからの前記検出信号を反射するように設置される反射モジュールを備える、
光ファイバの非対称性を自動的に検出する時間同期装置。
【請求項２】
前記装置がＳｌａｖｅ側ネットワークエレメントに設置されている場合、前記送信ユニットは、それぞれ前記第１の光ファイバと前記第２の光ファイバに前記検出信号を送信するように設置され、
前記受信ユニットは、それぞれ前記第１の光ファイバと前記第２の光ファイバから返された前記検出信号を受信するように設置され、
前記伝送遅延確定ユニットは、前記第１の光ファイバにおける前記検出信号の送信と返された前記検出信号の受信との間の第１の時間差に基づいて前記第１の光ファイバにおける検出信号伝送遅延を確定し、前記第２の光ファイバにおける前記検出信号の送信と返された前記検出信号の受信との間の第２の時間差に基づいて前記第２の光ファイバにおける検出信号伝送遅延を確定し、前記第１の光ファイバにおける検出信号伝送遅延に基づいて前記第１の光ファイバにおけるサービス信号伝送遅延を確定し、前記第２の光ファイバにおける検出信号伝送遅延に基づいて前記第２の光ファイバにおけるサービス信号伝送遅延を確定するように設置されることを特徴とする
請求項１に記載の装置。
【請求項３】
前記装置がＳｌａｖｅ側ネットワークエレメントに設置されている場合、
前記送信ユニットは、前記第１の光ファイバに前記検出信号を送信するように設置され、
前記受信ユニットは、前記第１の光ファイバから返された前記検出信号を受信するように設置され、
前記伝送遅延確定ユニットは、前記第１の光ファイバにおける前記検出信号の送信と返された前記検出信号の受信との間の第１の時間差に基づいて前記第１の光ファイバにおける検出信号伝送遅延を確定し、そして前記第１の光ファイバにおける検出信号伝送遅延に基づいて前記第１の光ファイバにおけるサービス信号伝送遅延を確定するように設置され、
前記遅延補償モジュールは、Ｍａｓｔｅｒ側の時間同期装置からの前記第２の光ファイバにおけるサービス信号伝送遅延を受信し、前記Ｓｌａｖｅ側の前記伝送遅延確定ユニットにより確定された前記第１の光ファイバにおけるサービス信号伝送遅延及び受信された前記第２の光ファイバにおけるサービス信号伝送遅延に基づいて、前記第１の光ファイバと前記第２のファイバとの間の非対称性遅延を計算するように設置されることを特徴とする
請求項１に記載の装置。
【請求項４】
前記時間同期装置の送信光ファイバ側に位置し、サービス信号と前記ＯＴＤＲ非対称性検出モジュールの送信ユニットからの前記検出信号を波に合成し、そして前記光モジュール装置の送信ポートにより前記合成波を送信するように設置される波合成モジュールと、
前記時間同期装置の送信光ファイバ側に位置し、前記送信光ファイバから反射及び／又は散乱された信号を分割し、前記検出信号を分離し、そして分離された前記検出信号を前記ＯＴＤＲ非対称性検出モジュールの前記受信ユニットに送信するように設置される第１の分割モジュールとが含まれる光モジュールを、さらに備え、
前記光モジュールは、
前記時間同期装置の受信光ファイバ側に位置し、前記時間同期装置の受信光ファイバ側から前記サービス信号と前記検出信号の合成波を受信した場合、受信された合成波を分割し、前記サービス信号を分離するように設置される第２の分割モジュールをさらに含むことを特徴とする
請求項１に記載の装置。
【請求項５】
前記伝送遅延確定ユニットは、
前記光ファイバｘにおける前記検出信号の伝送遅延Ｐ１ｘ＝（ｔ２ｘ-ｔ１ｘ）／２を確定するように設置される検出遅延確定サブユニットと、
前記光ファイバｘにおける前記サービス信号の伝送遅延Ｐ２ｘ＝（ｎ２ｘ／ｎ１ｘ）×Ｐ１ｘを確定するように設置されるサービス遅延確定サブユニットとを含み、その中、ｔ２ｘが、前記ＯＴＤＲ非対称性検出モジュールが前記光ファイバｘから返された前記検出信号を受信する時間であり、ｔ１ｘが、前記ＯＴＤＲ非対称性検出モジュールが前記光ファイバｘに前記検出信号を送信する時間であり、ｎ２ｘが前記光ファイバにおける前記サービス信号の波長の屈折率であり、ｎ１ｘが前記光ファイバｘにおける前記検出信号の波長の屈折率であり、
前記遅延補償モジュールは、前記第１の光ファイバと前記第２の光ファイバとの間の非対称性遅延Ｍ＝Ｐ２１-Ｐ２２を計算するように設置され、その中、Ｐ２１が前記第１の光ファイバにおける前記サービス信号の伝送遅延であり、Ｐ２２が前記第２の光ファイバにおける前記サービス信号の伝送遅延であり、
前記遅延補償モジュールは、所定の周期で前記非対称性遅延Ｍを計算し、そして所定の処理時間内に計算されたすべての非対称性遅延Ｍの平均値を取って前記時間同期補正モジュールに送信するように設置され、
前記装置がＳｌａｖｅ側ネットワークエレメントに設置されている場合、前記時間同期補正モジュールは、
時間同期メッセージのタイムスタンプＴ１、Ｔ２、Ｔ３およびＴ４を記録するように設置されるタイムスタンプカウンタと、
非対称性遅延補償値Ｏｆｆｓｅｔ＝[（Ａ-Ｂ）＋Ｍ]／２を計算するように設置される補償値計算ユニットと、
前記非対称性時間遅延補償値に基づいて時間同期補正を行うように設置される時間同期補正ユニットとを含み、その中、Ａ＝Ｔ２-Ｔ１、Ｂ＝Ｔ４-Ｔ３であることを特徴とする
請求項１〜４のいずれか１項に記載の装置。
【請求項６】
前記検出信号が検出光パルスであり、前記サービス信号がサービス光パルスであり、その中、前記検出光パルスの波長が前記サービス光パルスの波長と異なることを特徴とする
請求項１〜５のいずれか１項に記載の装置。
【請求項７】
光ファイバの非対称性を自動的に検出する時間同期方法であって、
Ｓｌａｖｅ側がそれぞれ第１の光ファイバと第２の光ファイバに検出信号を送信するステップと、
前記Ｓｌａｖｅ側がそれぞれ前記第１の光ファイバと前記第２の光ファイバから返された前記検出信号を受信するステップと、
前記Ｓｌａｖｅ側が前記第１の光ファイバにおける前記検出信号の送信と返された前記検出信号の受信との間の第１の時間差に基づいて前記第１の光ファイバにおける前記検出信号の伝送遅延を確定し、そして前記第１の光ファイバにおける検出信号伝送遅延に基づいて前記第１の光ファイバにおけるサービス信号の伝送遅延を確定し、前記第２の光ファイバにおける前記検出信号の送信と返された前記受信信号の受信との間の第２の時間差に基づいて前記第２の光ファイバにおける前記検出信号の伝送遅延を確定し、前記第２の光ファイバにおける検出信号伝送遅延に基づいて前記第２の光ファイバにおけるサービス信号の伝送遅延を確定するステップと、
前記Ｓｌａｖｅ側が前記第１の光ファイバにおけるサービス信号伝送遅延と前記第２の光ファイバにおけるサービス信号伝送遅延に基づいて前記第１の光ファイバと前記第２の光ファイバとの間の非対称性遅延を計算するステップと、
前記Ｓｌａｖｅ側が前記非対称性遅延に基づいて時間同期補正を行うステップとを含み、
前記第１の光ファイバが前記Ｓｌａｖｅ側の送信光ファイバであり、前記第２の光ファイバが前記Ｓｌａｖｅ側の受信光ファイバである場合、前記Ｓｌａｖｅ側は、サービス信号と前記検出信号を波に合成し、前記第１の光ファイバに前記サービス信号と前記検出信号の合成波を送信し、そして前記第１の光ファイバから反射及び／または散乱された信号を分割し、反射及び／又は散乱された前記検出信号を分離し、前記Ｓｌａｖｅ側は、前記第２の光ファイバに前記検出信号を送信し、そして前記第２の光ファイバから受信された信号を分割し、反射及び／又は散乱された検出信号とＭａｓｔｅｒ側からのサービス信号を分離し、
前記第１の光ファイバが前記Ｓｌａｖｅ側の受信光ファイバであり、前記第２の光ファイバが前記Ｓｌａｖｅ側の送信光ファイバである場合、前記Ｓｌａｖｅ側は、サービス信号と前記検出信号を波に合成し、前記第２の光ファイバに前記サービス信号と前記検出信号の合成波を送信し、そして前記第２の光ファイバから反射及び／又は散乱された信号を分割し、反射及び／又は散乱された前記検出信号を分離し、前記Ｓｌａｖｅ側は、前記第１の光ファイバに前記検出信号を送信し、そして前記第１の光ファイバから受信された信号を分割し、反射及び／又は散乱された検出信号とＭａｓｔｅｒ側からのサービス信号を分離し、
前記第１の光ファイバが前記Ｓｌａｖｅ側の送信光ファイバであり、前記第２の光ファイバが前記Ｓｌａｖｅ側の受信光ファイバである場合、前記第１の光ファイバから前記Ｓｌａｖｅ側からの前記サービス信号と前記検出信号の合成波を受信した時、Ｍａｓｔｅｒ側は、前記第１の光ファイバの光ファイバコネクタに、前記検出信号である固定波長の反射シートによって検出信号を反射し、前記第２の光ファイバから前記Ｓｌａｖｅ側からの前記検出信号を受信した時に、前記Ｍａｓｔｅｒ側は、前記第２の光ファイバの光ファイバコネクタに、前記検出信号である固定波長の反射シートによって検出信号を反射し、
前記第１の光ファイバが前記Ｓｌａｖｅ側の受信光ファイバであり、前記第２の光ファイバが前記Ｓｌａｖｅ側の送信光ファイバである場合、前記第２の光ファイバから前記Ｓｌａｖｅ側からの前記サービス信号と前記検出信号の合成波を受信した時に、前記Ｍａｓｔｅｒは、前記第２の光ファイバの光ファイバコネクタに前記検出信号である固定波長の反射シートによって検出信号を反射し、前記第１の光ファイバから前記Ｓｌａｖｅ側からの前記検出信号を受信した時に、前記Ｍａｓｔｅｒ側は、前記第１の光ファイバの光ファイバコネクタに、前記検出信号である固定波長の反射シートによって検出信号を反射する
ことを特徴とする方法。
【請求項８】
前記第１の光ファイバにおける前記検出信号の送信と返された前記検出信号の受信との間の第１の時間差に基づいて前記第１の光ファイバにおける検出信号の伝送遅延を確定し、そして前記第１の光ファイバにおける検出信号伝送遅延に基づいて前記第１の光ファイバにおけるサービス信号の伝送遅延を確定することは、
前記第１の光ファイバにおける前記検出信号の伝送遅延Ｐ１１＝（ｔ２１-ｔ１１）／２を確定することと、前記第１のファイバにおける前記サービス信号の伝送遅延Ｐ２１＝（ｎ２１／ｎ１１）×Ｐ１１を確定することと、含み、その中、ｔ２１が前記第１の光ファイバから返された前記検出信号を受信する時間であり、ｔ１１が前記第１の光ファイバ
に前記検出信号を送信する時間であり、ｎ２１が前記第１の光ファイバにおける前記サービス信号の屈折率であり、ｎ１１が前記第１の光ファイバにおける前記検出信号の屈折率であり、
前記第２の光ファイバにおける前記検出信号の送信と返された前記検出信号の受信との間の第２の時間差に基づいて前記第２の光ファイバにおける検出信号伝送遅延を確定し、前記第２の光ファイバにおける検出信号伝送遅延に基づいて前記第２の光ファイバにおけるサービス信号の伝送遅延を確定することは、前記第２の光ファイバにおける前記検出信号の伝送遅延Ｐ１２＝（ｔ２２-ｔ１２）／２を確定することと、前記第２の光ファイバにおける前記サービス信号の伝送遅延Ｐ２２＝（ｎ２２／ｎ１２）×Ｐ１２を確定することと、をふくみ、その中、ｔ２２が前記第２の光ファイバから返された前記検出信号を受信する時間であり、ｔ１２が前記第２の光ファイバに前記検出信号を送信する時間であり、ｎ２２が前記第２の光ファイバにおける前記サービス信号の屈折率であり、ｎ１２が前記第２の光ファイバにおける前記検出信号の屈折率であり、
前記第１の光ファイバにおけるサービス信号伝送遅延と前記第２の光ファイバにおけるサービス信号伝送遅延に基づいて第１の光ファイバと前記第２の光ファイバとの間の非対称性遅延を計算することは、
前記第１の光ファイバと前記第２の光ファイバとの間の非対称性遅延Ｍ＝Ｐ２１-Ｐ２２を計算することを含み、
前記Ｓｌａｖｅ側が前記非対称性遅延に基づいて時間同期補正を行うことは、
タイムスタンプカウンタで時間同期メッセージのタイムスタンプＴ１、Ｔ２、Ｔ３およびＴ４を記録し、
非対称性遅延補償値Ｏｆｆｓｅｔ＝[（Ａ-Ｂ）＋Ｍ]／２を計算し、Ａ＝Ｔ２-Ｔ１、Ｂ＝Ｔ４-Ｔ３であり、
前記非対称性遅延補償値に基づいて時間同期補正を行うことを含むことを特徴とする
請求項７に記載の方法。
【請求項９】
光ファイバの非対称性を自動的に検出する時間同期方法は、
Ｓｌａｖｅ側が第１の光ファイバに検出信号を送信し、そして前記第１の光ファイバから返された前記検出信号を受信するステップと、
前記Ｓｌａｖｅ側が前記第１の光ファイバにおける前記検出信号の送信と返された前記検出信号の受信との間の第１の時間差に基づいて前記第１の光ファイバにおける前記検出信号の伝送遅延を確定し、そして前記第１の光ファイバにおける検出信号伝送遅延に基づいて前記第１の光ファイバにおけるサービス信号の伝送遅延を確定するステップと、
前記Ｓｌａｖｅ側が前記第１の光ファイバにおけるサービス信号伝送遅延とＭａｓｔｅｒ側からの第２の光ファイバにおけるサービス信号伝送遅延に基づいて、前記第１の光ファイバと前記第２の光ファイバとの間の非対称性遅延を計算し、その中、前記Ｍａｓｔｅｒ側が前記第２の光ファイバにおけるサービス信号伝送遅延を取得する方式は、前記Ｍａｓｔｅｒ側が第２の光ファイバに検出信号を送信し、そして前記第２の光ファイバから返された前記検出信号を受信し、前記第２の光ファイバにおける前記検出信号の送信と返された前記検出信号の受信との間の第２の時間差に基づいて前記第２の光ファイバにおける前記検出信号の伝送遅延を確定し、そして前記第２の光ファイバにおける検出信号の伝送遅延に基づいて前記第２の光ファイバにおけるサービス信号の伝送遅延を確定するステップと、
前記Ｓｌａｖｅ側が前記非対称性遅延に基づいて時間同期補正を行うステップとを含み、
前記第１の光ファイバが前記Ｓｌａｖｅ側の送信光ファイバと前記Ｍａｓｔｅｒ側の受信光ファイバであり、前記第２の光ファイバが前記Ｓｌａｖｅ側の受信光ファイバと前記Ｍａｓｔｅｒ側の送信光ファイバである場合、
前記Ｓｌａｖｅ側がサービス信号と前記検出信号を波に合成し、前記第１の光ファイバに前記サービス信号と前記検出信号の合成波を送信し、そして、前記第１の光ファイバから反射及び／又は散乱された信号を分割し、前記検出信号を分離し、
前記Ｍａｓｔｅｒ側がサービス信号と前記検出信号を波に合成し、前記第２の光ファイバに前記サービス信号と前記検出信号の合成波を送信し、そして前記第２の光ファイバから反射及び／又は散乱された信号を分割し、前記検出信号を分離し、
前記第１の光ファイバから前記Ｓｌａｖｅ側からの前記サービス信号と前記検出信号の合成波を受信した場合、前記Ｍａｓｔｅｒ側が前記第１の光ファイバの受信光ファイバコネクタに、前記検出信号である固定波長の反射シートで検出信号を反射するステップと、
前記第２の光ファイバから前記Ｍａｓｔｅｒ側からの前記サービス信号と前記検出信号の合成波を受信した場合、前記Ｓｌａｖｅ側が前記第２の光ファイバの受信光ファイバコネクタに前記検出信号である固定波長の反射シートで検出信号を反射するステップをさらに含む
ことを特徴とする方法。
【請求項１０】
前記第１の光ファイバが前記Ｓｌａｖｅ側の送信光ファイバと前記Ｍａｓｔｅｒ側の受信光ファイバであり、前記第２の光ファイバが前記Ｓｌａｖｅ側の受信光ファイバと前記Ｍａｓｔｅｒ側の送信光ファイバであり、又は、前記第１の光ファイバが前記Ｍａｓｔｅｒ側の送信光ファイバと前記Ｓｌａｖｅ側の受信光ファイバであり、前記第２の光ファイバが前記Ｍａｓｔｅｒ側の受信光ファイバと前記Ｓｌａｖｅ側の送信光ファイバであることを特徴とする
請求項９に記載の方法。
【請求項１１】
前記第１の光ファイバにおける前記検出信号の送信と返された前記検出信号の受信との間の第１の時間差に基づいて前記第１の光ファイバにおける検出信号の伝送遅延を確定し、そして前記第１の光ファイバにおける検出信号の伝送遅延に基づいて前記第１の光ファイバにおけるサービス信号の伝送遅延を確定することは、前記第１の光ファイバにおける前記検出信号の伝送遅延Ｐ１１＝（ｔ２１-ｔ１１）／２を確定することと、前記第１の光ファイバにおける前記サービス信号の伝送遅延Ｐ２１＝（ｎ２１／ｎ１１）×Ｐ１１を確定することと、を含み、その中、ｔ２１が前記第１の光ファイバから返された前記検出信号を受信する時間であり、ｔ１１が前記第１の光ファイバに前記検出信号を送信する時間であり、ｎ２１が前記第１の光ファイバにおける前記サービス信号の屈折率であり、ｎ１１が前記第１の光ファイバにおける前記検出信号の屈折率であり、
前記第２の光ファイバにおける前記検出信号の送信と返された前記検出信号の受信との間の第２の時間差に基づいて前記第２の光ファイバにおける検出信号伝送遅延を確定し、そして前記第２の光ファイバにおける検出信号伝送遅延に基づいて前記第２の光ファイバにおけるサービス信号の伝送遅延を確定することは、前記第２の光ファイバにおける前記検出信号の伝送遅延Ｐ１２＝（ｔ２２-ｔ１２）／２を確定することと、前記第２の光ファイバにおける前記サービス信号の伝送遅延Ｐ２２＝（ｎ２２／ｎ１２）×Ｐ１２を確定することと、を含み、その中、ｔ２２が前記第２の光ファイバから返された前記検出信号を受信する時間であり、ｔ１２が前記第２の光ファイバに前記検出信号を送信する時間であり、ｎ２２が前記第２の光ファイバにおけるサービス信号の屈折率であり、ｎ１２が前記第２の光ファイバにおける前記検出信号の屈折率であることを含み、
前記第１の光ファイバにおける伝送遅延と前記第２の光ファイバにおける伝送遅延に基づいて前記第１の光ファイバと前記第２の光ファイバとの間の非対称性遅延を確定することは、
前記第１の光ファイバと前記第２の光ファイバとの間の非対称性遅延Ｍ＝Ｐ２１-Ｐ２２を計算することを含み、
前記Ｓｌａｖｅ側が前記非対称性遅延に基づいて時間同期補正を行うことは、
タイムスタンプカウンタで時間同期メッセージのタイムスタンプＴ１、Ｔ２、Ｔ３およびＴ４を記録し、
非対称性遅延補償値Ｏｆｆｓｅｔ＝[（Ａ-Ｂ）＋Ｍ]／２を計算し、その中、Ａ＝Ｔ２−Ｔ１、Ｂ＝Ｔ４−Ｔ３、
前記非対称性遅延報償値に基づいて時間同期補正を行うことを含むことを特徴とする
請求項９に記載の方法。
【発明の詳細な説明】
【技術分野】
【０００１】
本発明は、通信分野における時間同期技術に関し、特に光ファイバの非対称性を自動的に検出する時間同期装置及び方法に関する。
【背景技術】
【０００２】
無線時分割複信（ＴＤＤ：Ｔｉｍｅ  Ｄｉｖｉｓｉｏｎ  Ｄｕｐｌｅｘｉｎｇ）サービスが時間同期に対する需要のため、同期イーサネット（登録商標）に基づいて１５８８時間同期を実現することは、徐々に通信業界における時間同期技術の主流技術となっている。
【０００３】
現在のネットワークにおいて、ケーブルコア誤差、ケーブル施工の接続誤差、ケーブル故障の接続誤差、テールファイバ誤差などの様々な原因で、光ファイバの双方向の長さが対称しないとの現像を引き起こす可能性があり、それによって伝送遅延は双方向に対称しない。現在のネットワークデータに示すように、光ファイバの非対称よる１００ｎｓ以上の時間誤差確率がかなり大きいので、時間同期ネットワークを構築する場合、光ファイバの非対称性の問題は、無視できない。
【０００４】
現在、オペレーターが時間同期ネットワークを配置する時に、非対称性を解決する方法は、主に１５８８測定メーター、光ファイバスイッチング方式、単一ファイバ双方向、リングネットワークの自動的な測定などの方式を含む。１５８８測定メーターを使用するとの方式の場合、ネットワークを構築する時に点ごとに補償する必要があるので、広い範囲のノードのネットワーク構築の使用を満たすことが難しい。光スイッチでスイッチングを実現すると、既存の機器との互換が困難であり、且つスイッチングする時にサービス損傷が発生することがある。リングネットワークの自動的な測定の適応性が限られるので、構築された時間ネットワークに対して誤判定を行うことしかできない。ユーザの習慣、使用便利について、単一ファイバの双方向は多く問題があり、例えば単一ファイバの双方向は、伝送距離について問題があり、現在、一般的に２０ｋｍレベルの伝送のみを満たすことができ、１００ｋｍ以上の伝送距離を満たすことができない。現在のネットワークの使用について、以上の様々な方法はそれぞれの欠点が存在するので、１５８８時間同期の非対称性自動的な補償は、業界において緊急に解決される難題となり、無線ＴＤＤサービス時間同期のネットワーク配置に深刻な影響を与える。
【０００５】
１５８８時間同期技術は、原理において同期ノード間の中間経路伝送遅延の双方向対称に依存するので、非対称性が１５８８時間同期の実現に非常に大きな影響を与え、双方向に長さが対称しないとの現像はある場合、時間同期を正確に行うことができず、それによって時間同期の精度が悪い。
【発明の概要】
【発明が解決しようとする課題】
【０００６】
従来技術において双方向に長さが非対称であることによって時間同期精度が悪いとの問題に対して、本発明の実施例は、少なくとも上記問題を解決するように、光ファイバの非対称性を自動的に検出する時間同期装置及び方法を提供する。
【課題を解決するための手段】
【０００７】
本発明の実施例の一態様による光ファイバの非対称性を自動的に検出する時間同期装置は、光ファイバに検出信号を送信するように設置される送信ユニット、前記光ファイバから返された検出信号を受信するように設置される受信ユニット、前記検出信号の送信と返された前記検出信号の受信との間の時間差に基づいて前記光ファイバにおける前記検出信号の伝送遅延を確定し、そして前記検出信号の伝送遅延に基づいて前記光ファイバにおけるサービス信号の伝送遅延を確定するように設置される伝送遅延確定ユニットが含まれる光時間領域反射（ＯＴＤＲ：Ｏｐｔｉｃａｌ  Ｔｉｍｅ  Ｄｏｍａｉｎ  Ｒｅｆｌｅｃｔｏｍｅｔｅｒ）非対称性検出モジュールと、第１の光ファイバにおけるサービス信号の伝送遅延と第２の光ファイバにおけるサービス信号の伝送遅延に基づいて前記第１の光ファイバと前記第２の光ファイバとの間の非対称性遅延を演算するように設置される遅延補償モジュールと、非対称性遅延に基づいて時間同期補正を行うように設置される時間同期補正モジュールとを備える。
【０００８】
好ましくは、前記装置の利用するネットワークエレメントがＳｌａｖｅ側である場合、前記送信ユニットは、それぞれ前記第１の光ファイバと前記第２の光ファイバに前記検出信号を送信するように設置され、前記受信ユニットは、それぞれ前記第１の光ファイバと前記第２の光ファイバから返された前記検出信号を受信するように設置され、前記伝送遅延確定ユニットは、前記第１の光ファイバにおける前記検出信号の送信と返された前記検出信号との間の第１の時間差に基づいて前記第１の光ファイバにおける検出信号の伝送遅延を確定し、前記第２の光ファイバにおける前記検出信号の送信と返された前記検出信号の受信との間の第２の時間差に基づいて前記第２の光ファイバにおける検出信号の伝送遅延を確定し、前記第１の光ファイバにおける検出信号の伝送遅延に基づいて前記第１の光ファイバにおけるサービス信号の伝送遅延を確定し、前記第２の光ファイバにおける検出信号の伝送遅延に基づいて前記第２の光ファイバにおけるサービス信号の伝送遅延を確定するように設置される。
【０００９】
好ましくは、前記装置の利用するネットワークエレメントがＭａｓｔｅｒ側である場合、前記送信ユニットは、それぞれ前記第１の光ファイバと前記第２の光ファイバに前記検出信号を送信するように設置され、前記受信ユニットは、それぞれ前記第１の光ファイバと前記第２の光ファイバから返された前記検出信号を受信するように設置され、前記伝送遅延確定ユニットは、前記第１の光ファイバにおける前記検出信号の送信と前記返された検出信号の受信との間の第１の時間差に基づいて前記第１の光ファイバにおける検出信号の伝送遅延を確定し、前記第２の光ファイバにおける前記検出信号の送信と返された前記検出信号の受信との間の第２の時間差に基づいて前記第２の光ファイバにおける検出信号の伝送遅延を確定し、前記第１の光ファイバにおける検出信号の伝送遅延に基づいて前記第１の光ファイバにおけるサービス信号の伝送遅延を確定し、前記第２の光ファイバにおける検出信号の伝送遅延に基づいて前記第２の光ファイバにおけるサービス信号の伝送遅延を確定し、そして前記第１の光ファイバにおけるサービス信号の伝送遅延と前記第２の光ファイバにおけるサービス信号の伝送遅延をＳｌａｖｅ側の時間同期装置に送信するように設置される。
【００１０】
好ましくは、前記装置の利用するネットワークエレメントがＳｌａｖｅ側である場合、前記送信ユニットは、前記第１の光ファイバに前記検出信号を送信するように設置され、前記受信ユニットは、前記第１の光ファイバから返された前記検出信号を受信するように設置され、前記伝送遅延確定ユニットは、前記第１の光ファイバにおける前記検出信号の送信と返された前記検出信号の受信との間の第１の時間差に基づいて前記第１の光ファイバにおける検出信号の伝送遅延を確定し、そして前記第１の光ファイバにおける検出信号の伝送遅延に基づいて前記第１の光ファイバにおけるサービス信号の伝送遅延を確定するように設置され、前記遅延補償モジュールは、Ｍａｓｔｅｒ側の時間同期装置からの前記第２の光ファイバにおけるサービス信号伝送遅を受信し、前記Ｓｌａｖｅ側の前記伝送遅延確定ユニットにより確定された前記第１の光ファイバにおけるサービス信号の伝送遅延及び受信された前記第２の光ファイバにおけるサービス信号の伝送遅延に基づいて、前記第１の光ファイバと前記第２のファイバとの間の非対称性遅延を計算するように設置される。
【００１１】
好ましくは、前記装置の利用するネットワークエレメントがＭａｓｔｅｒ側である場合、前記送信ユニットは、前記第２の光ファイバに前記検出信号を送信するように設置され、前記受信ユニットは、前記第２の光ファイバから返された前記検出信号を受信するように設置され、前記伝送遅延確定ユニットは、前記第２の光ファイバにおける前記検出信号の送信と返された前記検出信号の受信との間の第２の時間差に基づいて前記第２の光ファイバにおける検出信号の伝送遅延を確定し、そして前記第２の光ファイバにおける検出信号の伝送遅延に基づいて前記第２の光ファイバにおけるサービス信号の伝送遅延を確定するように設置され、前記遅延補償モジュールは、Ｓｌａｖｅ側の時間同期装置の遅延補償モジュールに前記第２の光ファイバにおけるサービス信号の伝送遅延を送信するように設置される。
【００１２】
好ましくは、前記時間同期装置の利用する側の光ファイバ送信側に位置し、サービス信号と前記ＯＴＤＲ非対称性検出モジュールの送信ユニットからの前記検出信号を波に合成し、そして前記光モジュール装置の送信ポートにより前記合成波を送信するように設置される波合成モジュールと、前記時間同期装置の利用する側の光ファイバ送信側に位置し、前記光ファイバ送信側から反射及び／又は散乱された信号を分割し、前記検出信号を分離し、そして分離された前記検出信号を前記ＯＴＤＲ非対称性検出モジュールの前記受信ユニットに送信するように設置される第１の分割モジュールとが含まれる光モジュールを、さらに備える。
【００１３】
好ましくは、前記光モジュールは、前記時間同期装置の利用する側の光ファイバ受信側に位置し、前記時間同期装置の利用する側の光ファイバ受信側から前記サービス信号と前記検出信号の合成波を受信した場合、受信された合成波を分割し、前記サービス信号を分離するように設置される第２の分割モジュールをさらに備える。
【００１４】
好ましくは、前記装置は、前記時間同期装置の利用する側の光ファイバコネクタに、固定波長の反射シートによって相手側の時間同期装置の送信モジュールからの前記検出信号を反射するように設置される送信モジュールをさらに備える。
【００１５】
好ましくは、前記伝送遅延確定ユニットは、前記光ファイバｘにおける前記検出信号の伝送遅延Ｐ１ｘ＝（ｔ２ｘ-ｔ１ｘ）／２を確定するように設置される検出遅延確定サブユニットと、前記光ファイバｘにおける前記サービス信号の伝送遅延Ｐ２ｘ＝（ｎ２ｘ／ｎ１ｘ）×Ｐ１ｘを確定するように設置されるサービス遅延確定サブユニットとを含み、その中、ｔ２ｘが、前記ＯＴＤＲ非対称性検出モジュールが前記光ファイバｘから返された前記検出信号を受信する時間であり、ｔ１ｘが、前記ＯＴＤＲ非対称性検出モジュールが前記光ファイバｘに前記検出信号を送信する時間であり、ｎ２ｘが前記光ファイバにおける前記サービス信号の波長の屈折率であり、ｎ１ｘが前記光ファイバｘにおける前記検出信号の波長の屈折率である。
【００１６】
好ましくは、前記遅延補償モジュールは、前記第１の光ファイバと前記第２の光ファイバとの間の非対称性遅延Ｍ＝Ｐ２１-Ｐ２２を計算するように設置され、その中、Ｐ２１が前記第１の光ファイバにおける前記サービス信号の伝送遅延であり、Ｐ２２が前記第２の光ファイバにおける前記サービス信号の伝送遅延である
【００１７】
好ましくは、前記遅延補償モジュールは、所定の周期で前記非対称性遅延Ｍを計算し、そして所定の処理時間内に計算されたすべての非対称性遅延Ｍの平均値を取って前記時間同期補正モジュールに送信することに用いられる。
【００１８】
好ましくは、前記装置の利用するネットワークエレメントがＳｌａｖｅ側である場合、前記時間同期補正モジュールは、時間同期メッセージのタイムスタンプＴ１、Ｔ２、Ｔ３とＴ４を記録することに用いられるタイムスタンプカウンタと、非対称性遅延補償値Ｏｆｆｓｅｔ＝[（Ａ-Ｂ）＋Ｍ]／２を計算することに用いられる時間同期補正ユニットとを含み、その中、Ａ＝Ｔ２-Ｔ１、Ｂ＝Ｔ４-Ｔ３である補償値計算ユニットと、前記非対称性時間遅延補償値に基づいて時間同期補正を行うことに用いられる。
【００１９】
好ましくは、前記検出信号が検出光パルスであり、前記サービス信号がサービス光パルスであり、その中、前記検出光パルスの波長が前記サービス光パルスの波長と異なる。
【００２０】
本発明の実施例の別の態様による光ファイバの非対称性を自動的に検出する時間同期方法は、Ｓｌａｖｅ側がそれぞれ第１の光ファイバと第２の光ファイバに検出信号を送信するステップと、前記Ｓｌａｖｅ側がそれぞれ前記第１の光ファイバと前記第２の光ファイバから返された前記検出信号を受信するステップと、前記Ｓｌａｖｅ側が前記第１の光ファイバにおける前記検出信号の送信と返された前記検出信号の受信との間の第１の時間差に基づいて前記第１の光ファイバにおける前記検出信号の伝送遅延を確定し、そして前記第１の光ファイバにおける検出信号の伝送遅延に基づいて前記第１の光ファイバにおけるサービス信号の伝送遅延を確定し、前記第２の光ファイバにおける前記検出信号の送信と返された前記受信信号の受信との間の第２の時間差に基づいて前記第２の光ファイバにおける前記検出信号の伝送遅延を確定し、前記第２の光ファイバにおける検出信号の伝送遅延に基づいて前記第２の光ファイバにおけるサービス信号の伝送遅延を確定するステップと、前記Ｓｌａｖｅ側が前記第１の光ファイバにおけるサービス信号の伝送遅延と前記第２の光ファイバにおけるサービス信号の伝送遅延に基づいて前記第１の光ファイバと前記第２の光ファイバとの間の非対称性遅延を計算するステップと、前記Ｓｌａｖｅ側が前記非対称性遅延に基づいて時間同期補正を行うステップとを含む。
【００２１】
好ましくは、前記第１の光ファイバが前記Ｓｌａｖｅ側の送信光ファイバであり、前記第２の光ファイバが前記Ｓｌａｖｅ側の受信光ファイバである場合、前記Ｓｌｖｅ側は、サービス信号と前記検出信号を波に合成し、前記第１の光ファイバに前記サービス信号と前記検出信号の合成波を送信し、そして前記第１の光ファイバから反射及び／または散乱された信号を分割し、反射及び／又は散乱された前記検出信号を分離し、前記Ｓｌａｖｅ側は、前記第２の光ファイバに前記検出信号を送信し、そして前記第２の光ファイバから受信された信号を分割し、反射及び／又は散乱された検出信号とＭａｓｔｅｒ側からのサービス信号を分離し、前記第１の光ファイバが前記Ｓｌａｖｅ側の受信光ファイバであり、前記第２の光ファイバが前記Ｓｌａｖｅ側の受信光ファイバである場合、前記Ｓｌａｖｅ側は、サービス信号と前記検出信号を波に合成し、前記第２の光ファイバに前記サービス信号と前記検出信号の合成波を送信し、そして前記第２の光ファイバから反射及び／又は散乱された信号を分割し、反射及び／又は散乱された前記検出信号を分離し、前記Ｓｌａｖｅ側は、前記第１の光ファイバに前記検出信号を送信し、そして前記第１の光ファイバから受信された信号を分割し、反射及び／又は散乱された検出信号とＭａｓｔｅｒ側からのサービス信号を分離する。
【００２２】
好ましくは、前記第１の光ファイバが前記Ｓｌａｖｅ側の送信光ファイバであり、前記第２の光ファイバが前記Ｓｌａｖｅ側の受信光ファイバである場合、前記第１の光ファイバから前記Ｓｌａｖｅ側からの前記サービス信号と前記検出信号の合成波を受信した時、Ｍａｓｔｅｒ側は、前記第１の光ファイバの光ファイバコネクタに、固定波長の反射シートで検出信号を反射し、前記第２の光ファイバから前記Ｓｌａｖｅ側からの前記検出信号を受信した時に、前記Ｍａｓｔｅｒ側は、前記第２の光ファイバの光ファイバコネクタに、固定波長の反射シートによって検出信号を反射し、前記第１の光ファイバが前記Ｓｌａｖｅ側の受信光ファイバであり、前記第２の光ファイバが前記Ｓｌａｖｅ側の送信光ファイバである場合、前記第２の光ファイバから前記Ｓｌａｖｅ側からの前記サービス信号と前記検出信号の合成波を受信した時に、前記Ｍａｓｔｅｒは、前記第２の光ファイバの光ファイバコネクタに固定波長反射シートによって検出信号を反射し、前記第１の光ファイバから前記Ｓｌａｖｅ側からの前記検出信号を受信した時に、前記Ｍａｓｔｅｒ側は、前記第１の光ファイバの光ファイバコネクタに、固定波長反射シートによって検出信号を反射する。
【００２３】
好ましくは、前記第１の光ファイバにおける前記検出信号の送信と返された前記検出信号の受信との間の第１の時間差に基づいて前記第１の光ファイバにおける検出信号の伝送遅延を確定し、そして前記第１の光ファイバにおける検出信号の伝送遅延に基づいて前記第１の光ファイバにおけるサービス信号の伝送遅延を確定することは、前記第１の光ファイバにおける前記検出信号の伝送遅延Ｐ１１＝（ｔ２１-ｔ１１）／２を確定しており、前記第１のファイバにおける前記サービス信号の伝送遅延Ｐ２１＝（ｎ２１／ｎ１１）×Ｐ１１を確定しており、前記第２の光ファイバにおける前記検出信号の送信と返された前記検出信号の受信との間の第２の時間差に基づいて前記第２の光ファイバにおける検出信号の伝送遅延を確定し、前記第２の光ファイバにおける検出信号の伝送遅延に基づいて前記第２の光ファイバにおけるサービス信号の伝送遅延を確定することは、前記第２の光ファイバにおける前記検出信号の伝送遅延Ｐ１２＝（ｔ２２-ｔ１２）／２を確定しており、前記第２の光ファイバにおける前記サービス信号の伝送遅延Ｐ２２＝（ｎ２２／ｎ１２）×Ｐ１２を確定しており、その中、ｔ２１が前記第１の光ファイバから返された前記検出信号を受信する時間であり、ｔ１１が前記第１の光ファイバに前記検出信号を送信する時間であり、ｎ２１が前記第１の光ファイバにおける前記サービス信号の屈折率であり、ｎ１１が前記第１の光ファイバにおける前記検出信号の屈折率であり、ｔ２２が前記第２の光ファイバから返された前記検出信号を受信する時間であり、ｔ１２が前記第２の光ファイバに前記検出信号を送信する時間であり、ｎ２２が前記第２の光ファイバにおける前記サービス信号の屈折率であり、ｎ１２が前記第２の光ファイバにおける前記検出信号の屈折率である。
【００２４】
好ましくは、前記第１の光ファイバにおけるサービス信号の伝送遅延と前記第２の光ファイバにおけるサービス信号の伝送遅延に基づいて前記第１の光ファイバと前記第２の光ファイバとの間の非対称性遅延を計算することは、前記第１の光ファイバと前記第２の光ファイバとの間の非対称性遅延Ｍ＝Ｐ２１-Ｐ２２を計算することを含む。
【００２５】
好ましくは、前記Ｓｌａｖｅ側が前記非対称性遅延に対して時間同期補正を行うことは、タイムスタンプカウンタで時間同期メッセージのタイムスタンプＴ１、Ｔ２、Ｔ３およびＴ４を記録し、非対称性遅延補償値Ｏｆｆｓｅｔ＝[（Ａ-Ｂ）＋Ｍ]／２を計算し、Ａ＝Ｔ２-Ｔ１、Ｂ＝Ｔ４-Ｔ３であり、前記非対称性遅延補償値に基づいて時間同期補正を行うことを含む。
【００２６】
本発明の実施例の別の態様による光ファイバの非対称性を自動的に検出する時間同期方法は、Ｍａｓｔｅｒ側がそれぞれ第１の光ファイバと第２の光ファイバに検出信号を送信するステップと、前記Ｍａｓｔｅｒ側がそれぞれ前記第１の光ファイバと前記第２の光ファイバから返された前記検出信号を受信するステップと、前記Ｍａｓｔｅｒ側が前記第１の光ファイバにおける前記検出信号の送信と返された前記検出信号の受信との間の第１の時間差に基づいて前記第１の光ファイバにおける前記検出信号の伝送遅延を確定し、そして前記第１の光ファイバにおける検出信号の伝送遅延に基づいて前記第１の光ファイバにおけるサービス信号の伝送遅延を確定し、前記第２の光ファイバにおける前記検出信号の送信と返された前記検出信号の受信との間の第２の時間差に基づいて前記第２の光ファイバにおける前記検出信号の伝送遅延を確定し、そして前記第２の光ファイバにおける検出信号の伝送遅延に基づいて前記第２の光ファイバにおける前記サービス信号の伝送遅延を確定するステップと、前記Ｍａｓｔｅｒ側が前記第１の光ファイバにおけるサービス信号の伝送遅延と前記第２の光ファイバにおけるサービス信号の伝送遅延をＳｌａｖｅ側に送信するステップと、前記Ｓｌａｖｅ側が前記第１の光ファイバにおけるサービス信号の伝送遅延と前記第２の光ファイバにおけるサービス信号の伝送遅延に基づいて前記第１の光ファイバと前記第２の光ファイバとの間の非対称性遅延を計算するステップと、前記Ｓｌａｖｅ側が前記非対称性遅延に基づいて時間同期補正を行うステップとを含む。
【００２７】
本発明の実施例の別の態様による光ファイバの非対称性を自動的に検出する時間同期方法は、Ｓｌａｖｅ側が第１の光ファイバに検出信号を送信し、そして前記第１の光ファイバから返された前記検出信号を受信するステップと、前記Ｓｌａｖｅ側が前記第１の光ファイバにおける前記検出信号の送信と返された前記検出信号の受信との間の第１の時間差に基づいて前記第１の光ファイバにおける前記検出信号の伝送遅延を確定し、そして前記第１の光ファイバにおける検出信号の伝送遅延に基づいて前記第１の光ファイバにおけるサービス信号の伝送遅延を確定するステップと、前記Ｓｌａｖｅ側が前記第１の光ファイバにおけるサービス信号の伝送遅延とＭａｓｔｅｒ側からの第２の光ファイバにおけるサービス信号の伝送遅延に基づいて、前記第１の光ファイバと前記第２の光ファイバとの間の非対称性遅延を計算するステップとを含み、その中、前記Ｍａｓｔｅｒ側が前記第２の光ファイバにおけるサービス信号の伝送遅延を取得する方式は、前記Ｍａｓｔｅｒ側が第２の光ファイバに検出信号を送信し、そして前記第２の光ファイバから返された前記検出信号を受信し、前記第２の光ファイバにおける前記検出信号の送信と返された前記検出信号の受信との間の第２の時間差に基づいて前記第２の光ファイバにおける前記検出信号の伝送遅延を確定し、そして前記第２の光ファイバにおける検出信号の伝送遅延に基づいて前記第２の光ファイバにおけるサービス信号の伝送遅延を確定すること、前記Ｓｌａｖｅ側が前記非対称性遅延に基づいて時間同期補正を行うことを含む。
【００２８】
好ましくは、前記第１の光ファイバが前記Ｓｌａｖｅ側の送信光ファイバと前記Ｍａｓｔｅｒ側の受信光ファイバであり、前記第２の光ファイバが前記Ｓｌａｖｅ側の受信光ファイバと前記Ｍａｓｔｅｒ側の送信光ファイバであり、又は、前記第１の光ファイバが前記Ｍａｓｔｅｒ側の送信光ファイバと前記Ｓｌａｖｅ側の受信光ファイバであり、前記第２の光ファイバが前記Ｍａｓｔｅｒ側の受信光ファイバと前記Ｓｌａｖｅ側の送信光ファイバである。
【００２９】
好ましくは、前記第１の光ファイバにおける前記検出信号の送信と返された前記検出信号の受信との間の第１の時間差に基づいて前記第１の光ファイバにおける検出信号の伝送遅延を確定し、そして前記第１の光ファイバにおける検出信号の伝送遅延に基づいて前記第１の光ファイバにおけるサービス信号の伝送遅延を確定することは、前記第１の光ファイバにおける前記検出信号の伝送遅延Ｐ１１＝（ｔ２１-ｔ１１）／２を確定することと、前記第１の光ファイバにおける前記サービス信号の伝送遅延Ｐ２１＝（ｎ２１／ｎ１１）×Ｐ１１を確定することと、を含み、その中、ｔ２１が前記第１の光ファイバから返された前記検出信号を受信する時間であり、ｔ１１が前記第１の光ファイバに前記検出信号を送信する時間であり、ｎ２１が前記第１の光ファイバにおける前記サービス信号の屈折率であり、ｎ１１が前記第１の光ファイバにおける前記検出信号の屈折率である。前記第２の光ファイバにおける前記検出信号の送信と返された前記検出信号の受信との間の第２の時間差に基づいて前記第２の光ファイバにおける検出信号の伝送遅延を確定し、そして前記第２の光ファイバにおける検出信号の伝送遅延に基づいて前記第２の光ファイバにおけるサービス信号の伝送遅延を確定することは、前記第２の光ファイバにおける前記検出信号の伝送遅延Ｐ１２＝（ｔ２２-ｔ１２）／２を確定することと、前記第２の光ファイバにおける前記サービス信号の伝送遅延Ｐ２２＝（ｎ２２／ｎ１２）×Ｐ１２を確定することと、を含み、その中、ｔ２２が前記第２の光ファイバから返された前記検出信号を受信する時間であり、ｔ１２が前記第２の光ファイバに前記検出信号を送信する時間であり、ｎ２２が前記第２の光ファイバにおける前記サービス信号の屈折率であり、ｎ１２が前記第２の光ファイバにおける前記検出信号の屈折率である。
【００３０】
好ましくは、前記第１の光ファイバにおける伝送遅延と前記第２の光ファイバにおける伝送遅延に基づいて前記第１の光ファイバと前記第２の光ファイバとの間の非対称性遅延を計算することは、前記第１の光ファイバと前記第２の光ファイバとの間の非対称性遅延Ｍ＝Ｐ２１-Ｐ２２を計算することを含む。
【００３１】
好ましくは、前記Ｓｌａｖｅ側が前記非対称性遅延に基づいて時間同期補正を行うことは、タイムスタンプカウンタで時間同期メッセージのタイムスタンプＴ１、Ｔ２、Ｔ３およびＴ４を記録し、非対称性遅延補償値Ｏｆｆｓｅｔ＝[（Ａ-Ｂ）＋Ｍ]／２を計算し、その中、Ａ＝Ｔ２−Ｔ１、Ｂ＝Ｔ４−Ｔ３、前記非対称性遅延報償値に基づいて時間同期補正を行うことを含む。
【００３２】
好ましくは、前記第１の光ファイバが前記Ｓｌａｖｅ側の送信光ファイバと前記Ｍａｓｔｅｒ側の受信光ファイバであり、前記第２の光ファイバが前記Ｓｌａｖｅ側の受信光ファイバと前記Ｍａｓｔｅｒ側の送信光ファイバである場合、前記Ｓｌａｖｅ側がサービス信号と前記検出信号を波に合成し、前記第１の光ファイバに前記サービス信号と前記検出信号の合成波を送信し、そして、前記第１の光ファイバから反射及び／又は散乱された信号を分割し、前記検出信号を分離し、前記Ｍａｓｔｅｒ側がサービス信号と前記検出信号を波に合成し、前記第２の光ファイバに前記サービス信号と前記検出信号の合成波を送信し、そして前記第２の光ファイバから反射及び／又は散乱された信号を分割し、前記検出信号を分離する。
【００３３】
好ましくは、当該方法は、前記第１の光ファイバから前記Ｓｌａｖｅ側からの前記サービス信号と前記検出信号の合成波を受信した場合、前記Ｍａｓｔｅｒ側が前記第１の光ファイバの受信光ファイバコネクタに、固定波長の反射シートによって検出信号を反射し、前記第２の光ファイバから前記Ｍａｓｔｅｒ側からの前記サービス信号と前記検出信号の合成波を受信した場合、前記Ｓｌａｖｅ側が前記第２の光ファイバの受信光ファイバコネクタに固定波長の反射シートによって検出信号を反射するステップをさらに含む。
【発明の効果】
【００３４】
本発明の実施例において送信された検出信号と受信された後方散乱／反射作用で返された検出信号との時間差をオンラインで測定することで、光ファイバにおける検出信号の伝送遅延を確定し、さらに光ファイバにおけるサービス信号の伝送遅延を確定し、同時に双方向光ファイバの遅延を比較し、双方向光ファイバの遅延に基づいて双方向光ファイバ伝送非対称性遅延を取得し、非対称性遅延補償を行い、このような方式で時間同期補正を行った後、双方向光ファイバの非対称性による影響を低減させ、従来技術における双方向光ファイバの長さの非対称性によって時間同期精度が悪いという問題を解決し、時間同期精度を向上させた。
【図面の簡単な説明】
【００３５】
【図１】本発明の実施例に係る光ファイバの非対称性を自動的に検出する時間同期装置の構成ブロック図である。
【図２】本発明の実施例に係る光ファイバの非対称性を自動的に検出する第１の好ましい構成ブロック図である。
【図３】本発明の実施例に係る光ファイバの非対称性を自動的に検出する第２の好ましい構成ブロック図である。
【図４】本発明の実施例に係る伝送遅延確定ユニットの詳しい構成ブロック図である。
【図５】本発明の実施例に係る時間同期補正モジュールの詳しい構成ブロック図である。
【図６】本発明の実施例に係る双方向の送信に基づく光ファイバの非対称性を自動的に検出する方法の第１のフローチャートである。
【図７】本発明の実施例に係る双方向の送信に基づく光ファイバの非対称性を自動的に検出する方法の第２のフローチャートである。
【図８】本発明の実施例に係る単一方向の送信に基づく光ファイバの非対称性を自動的に検出する方法のフローチャートである。
【図９】本発明の実施例２に係る光ファイバの非対称性を自動的に検出するスキームのフローチャートである。
【図１０】本発明の実施例３に係るＳｌａｖｅ側のＯＴＤＲ光ファイバ非対称性遅延の検出プローチャートである。
【図１１】本発明の実施例４に係るＳｌａｖｅ側が光ファイバの非対称性を自動的に検出する時間同期装置を示す図である。
【図１２】本発明の実施例４に係るＳｌａｖｅ側のＯＴＤＲ非対称性検出モジュールと光モジュールが統合された装置を示す第１の図である。
【図１３】本発明の実施例４に係るＳｌａｖｅ側のＯＴＤＲ非対称性検出モジュールと光モジュールが統合された装置を示す第２の図である。
【図１４】本発明の実施例４に係るＳｌａｖｅ側のＯＴＤＲ非対称性検出モジュールを示す図である。
【図１５】本発明の実施例４に係るＳｌａｖｅ側の非対称性遅延補償モジュールを示す図である。
【図１６】本発明の実施例４に係るＳｌａｖｅ側の時間同期補正モジュールを示す図である。
【図１７】本発明の実施例５に係る光ファイバの非対称性を自動的に検出する時間同期を示す図である。
【発明を実施するための形態】
【００３６】
ＯＴＤＲは、光パルスが光ファイバに伝送される場合のレイリー散乱及びフレネル反射によって発生した後方散乱により作られた精密な光電一体化測定システムである。ＯＴＤＲで光パルスを光ファイバ内に送信し、その後、散乱、反射によって返された情報を、同一の光ファイバのＯＴＤＲポートに受信して光ファイバ距離、遅延に対して分析する。光ファイバ自体の性質ので、光パルスが光ファイバ内に伝送される場合、コネクタ、接合点、曲げ又は他の類似なイベントによって散乱、反射が発生し、その中、一部の散乱及び反射がＯＴＤＲに返す。返された有用な情報は、ＯＴＤＲの検出器によって測定され、光ファイバにおける異なる位置の時間又は曲線断片とされる。
【００３７】
本発明の実施例において、光ファイバの非対称性を自動的に検出する時間同期装置及び方法が提供されており、ＯＴＤＲ技術が利用されている。送信されたパルスと受信された後方散乱光との時間差をオンラインで測定することで、光ファイバ遅延を確定するとともに、双方向光ファイバ遅延を比較して、双方向光ファイバ遅延に基づいて双方向光ファイバ伝送非対称性遅延を取得し、非対称性遅延補償を行い、このような方式で時間同期補正を行った後、双方向光ファイバの非対称性による影響を低減させ、従来技術において双方向光ファイバ長さの非対称性によって時間同期精度が悪い問題を解決し、時間同期精度を向上させた。
【００３８】
以下に図面を参照して実施例と組み合わせて本発明を詳しく説明する。衝突しない場合、本出願の実施例及び実施例の特徴は、互いに組み合わせることができると説明すべきである。
【００３９】
装置の実施例
図１は本発明の実施例に係る光ファイバの非対称性を自動的に検出する時間同期装置の構成ブロック図である。図１示すように、光ファイバの非対称性を自動的に検出する時間同期装置は、
光ファイバに検出信号を送信するための送信ユニット１２２と、光ファイバから返された検出信号を受信するための受信ユニット１２４と、検出信号の送信と返された検出信号の受信との間の時間差に基づいて光ファイバにおける検出信号の伝送遅延を確定し、そして検出信号の伝送遅延に基づいて光ファイバにおけるサービス信号の伝送遅延を確定するための伝送遅延確定ユニット１２６と、が含まれるＯＴＤＲ非対称性検出モジュール１２と、
第１の光ファイバにおけるサービス信号の伝送遅延と第２の光ファイバにおけるサービス信号の伝送遅延に基づいて第１の光ファイバと第２の光ファイバとの間の非対称性遅延を計算することに用いられる遅延補償モジュール１４と、
非対称性遅延に基づいて時間同期補正を行うことに用いられる時間同期補正モジュール１６と、
を備える。
【００４０】
当該装置により、送信された検出信号と受信された後方散乱／反射作用で返された検出信号との時間差をオンラインで測定することで、光ファイバにおける検出信号の伝送遅延を確定し、さらに光ファイバにおけるサービス信号の伝送遅延を確定し、同時に双方向光ファイバ（第１の光ファイバと第２の光ファイバ）遅延を比較し、双方向光ファイバ遅延に基づいて双方向光ファイバ伝送非対称性遅延を取得し、時間同期補正を行って、双方向光ファイバの非対称性による影響を低減させ、従来技術における双方向光ファイバの長さの非対称性によって時間同期精度が悪いという問題を解決し、時間同期精度を向上させた。
【００４１】
なお、検出信号が検出光パルスであってよく、サービス信号がサービス光パルスであってよく、検出光パルスの波長とサービス光パルスの波長が異なってもよいと説明すべきである。
【００４２】
検出信号が単一方向で送信されることができ、例えば光ファイバ送信側又は光ファイバ受信側のみにＯＴＤＲ非対称性検出信号を送信することができ、双方向で送信されることもでき、例えば光ファイバ送信側と光ファイバ受信側にＯＴＤＲ非対称性検出信号を送信することができることは、以下にそれぞれ説明される。
【００４３】
(１)双方向送信
検出信号を双方向で送信し、例えばＳｌａｖｅ側の光ファイバ送信側／光ファイバ受信側にＯＴＤＲ非対称性検出信号を送信し、又は、Ｍａｓｔｅｒ側の光ファイバ送信側／光ファイバ受信側にＯＴＤＲ非対称性検出信号を送信することができる。
【００４４】
Ｓｌａｖｅ側の光ファイバ送信側／光ファイバ受信側にＯＴＤＲ非対称性検出信号を送信するスキームを採用すると、以下の時間同期装置で実現することができる。Ｓｌａｖｅ側の、光ファイバの非対称性を自動的に検出する時間同期装置において、送信ユニット１２２は、それぞれ第１の光ファイバと第２の光ファイバに検出信号を送信することに用いられ、受信ユニット１２４は、それぞれ第１の光ファイバと第２の光ファイバから返された検出信号を受信することに用いられ、伝送遅延確定ユニット１２６は、第１の光ファイバにおける検出信号の送信と返された検出信号の受信との間の第１の時間差に基づいて第１の光ファイバにおける検出信号の伝送遅延を確定し、第２の光ファイバにおける検出信号の送信と返された検出信号の受信との間の第２の時間差に基づいて第２の光ファイバにおける検出信号の伝送遅延を確定し、第１の光ファイバにおける検出信号の伝送遅延に基づいて第１の光ファイバにおけるサービス信号の伝送遅延を確定し、第２の光ファイバにおける検出信号の伝送遅延に基づいて第２の光ファイバにおけるサービス信号の伝送遅延を確定することに用いられ、遅延補償モジュール１４は、第１の光ファイバにおける伝送遅延と第２の光ファイバにおける伝送遅延に基づいて第１の光ファイバと第２の光ファイバとの間の非対称性遅延を計算することに用いられ、時間同期補正モジュール１６は、非対称性遅延に基づいて時間同期補正を行うことに用いられる。
【００４５】
Ｍａｓｔｅｒ側の光ファイバ送信側／光ファイバ受信側にＯＴＤＲ非対称性検出信号を送信するスキームを採用すると、以下の時間同期装置で実現することができる。Ｍａｓｔｅｒ側の、光ファイバの非対称性を自動的に検出する時間同期装置において、送信ユニット１２２は、それぞれ第１の光ファイバと第２の光ファイバに検出信号を送信することに用いられ、受信ユニット１２４は、それぞれ第１の光ファイバと第２の光ファイバから返された検出信号を受信することに用いられ、伝送遅延確定ユニット１２６は、第１の光ファイバにおける検出信号の送信と返された検出信号の受信との間の第１の時間差に基づいて第１の光ファイバにおける検出信号の伝送遅延を確定し、前記第２の光ファイバにおける検出信号の送信と返された検出信号の受信との間の第２の時間差に基づいて第２の光ファイバにおける検出信号の伝送遅延を確定し、第１の光ファイバにおける検出信号の伝送遅延に基づいて第１の光ファイバにおけるサービス信号伝送遅延を確定し、第２の光ファイバにおける検出信号伝送遅延に基づいて第２の光ファイバにおけるサービス信号伝送遅延を確定し、そして第１の光ファイバにおけるサービス信号伝送遅延と第２の光ファイバにおけるサービスシング伝送遅延をＳｌａｖｅ側の時間同期装置に送信することに用いられる。Ｓｌａｖｅ側の時間同期装置では、遅延補償モジュール１４は、第１の光ファイバにおける伝送遅延と第２の光ファイバにおける伝送遅延に基づいて第１の光ファイバと第２の光ファイバとの間の非対称性遅延を計算することに用いられ、時間同期補正モジュール１６は、非対称性遅延に基づいて時間同期補正を行うことに用いられる。
【００４６】
ここで、第１の光ファイバは、Ｓｌａｖｅ側の送信光ファイバ、Ｍａｓｔｅｒ側の受信光ファイバであってよく、第２の光ファイバがＳｌａｖｅ側の受信光ファイバ、Ｍａｓｔｅｒ側の送信光ファイバであってよい、又は、第１の光ファイバがＳｌａｖｅ側の受信光ファイバ、Ｍａｓｔｅｒ側の送信光ファイバであってよく、第２の光ファイバがＳｌａｖｅ側の送信光ファイバ、Ｍａｓｔｅｒ側の受信光ファイバであってよい。
【００４７】
以上のスキームによれば、Ｓｌａｖｅ側又はＭａｓｔｅｒ側の光ファイバの非対称性時間同期装置だけで、第１の光ファイバと第２の光ファイバにおける伝送遅延を同時に取得することができ、それによって２つの光ファイバ間の非対称性遅延を確定し、さらに時間同期補正を行う。
【００４８】
送信されたＯＴＤＲ非対称性検出信号が散乱、反射現像を利用することを考え、一部のＯＴＤＲ非対称性検出信号が本側のＯＴＤＲ非対称性検出モジュールに返すことができ、それによってＯＴＤＲ非対称性検出モジュールは、後の処理を行うことができる。より多くの検出信号がＯＴＤＲ非対称性検出モジュールに返すために、好ましい実施スキームとして、ネットワークエレメントである光ファイバコネクタに、ＯＴＤＲの光パルスの波長に対して、固定波長の反射シートを増加し、到達した検出信号を反射し、Ｓｌａｖｅ側又はＭａｓｔｅｒ側のＯＴＤＲ非対称性検出モジュールがより正確に伝送遅延を確定することが可能となるように、返された検出信号の量を高めることができる。
【００４９】
Ｓｌａｖｅ側の光ファイバ送信側／光ファイバ受信側にＯＴＤＲ非対称性検出信号を送信するスキームを採用すると、Ｓｌａｖｅ側は、送信光ファイバから受信された反射信号を分割（例えばＷＤＭで実現することができる）し、反射されて返されたＯＴＤＲ検出信号を分解し、ＯＴＤＲ非対称性検出モジュールの受信ユニット１２４に伝送する。Ｓｌａｖｅ側は、受信光ファイバから受信された信号を分割（例えばＷＤＭで実現することができる）し、反射されて返された検出信号を分解してＯＴＤＲ非対称性検出モジュールの受信ユニット１２４に伝送し、サービス信号を分解してサービス関連モジュールが正常な関連サービス処理を行うことに用いる。
【００５０】
Ｍａｓｔｅｒ側の光ファイバ送信側／光ファイバ受信側にＯＴＤＲ非対称性検出信号を送信するスキームを採用すると、Ｍａｓｔｅｒ側は、送信光ファイバから受信された反射信号を分割（例えばＷＤＭで実現することができる）し、反射されて返されたＯＴＤＲ検出光パルスを分解し、ＯＴＤＲ非対称性検出モジュールの受信ユニット１２４に伝送する。Ｍａｓｔｅｒ側は、受信光ファイバから受信された信号を分割（例えばＷＤＭで実現することができる）し、反射されて返された検出信号を分解してＯＴＤＲ非対称性検出モジュールの受信ユニット１２４に伝送し、サービス信号を分解してサービス関連モジュールが正常な関連サービス処理を行うことに用いる。
【００５１】
（２）単一方向送信
検出信号を単一方向で送信し、例えばＳｌａｖｅエレメントとＭａｓｔｅｒネットワークエレメントの光ファイバ送信側又はＳｌａｖｅネットワークエレメントとＭａｓｔｅｒネットワークエレメントの光ファイバ受信側のみにＯＴＤＲ非対称性検出信号を送信する。
【００５２】
Ｓｌａｖｅ側の、光ファイバの非対称性を自動的に検出する時間同期装置において、送信ユニット１２２は、第１の光ファイバに検出信号を送信することに用いられ、受信ユニット１２４は、第１の光ファイバから返された検出信号を受信することに用いられ、伝送遅延確定ユニット１２６は、第１の光ファイバにおける検出信号の送信と返された検出信号の受信との間の第１の時間差に基づいて第１の光ファイバにおける検出信号伝送遅延を確定し、そして第１の光ファイバにおける検出信号伝送遅延に基づいて第１の光ファイバにおけるサービス信号伝送遅延を確定することに用いられ、遅延補償モジュール１４は、Ｍａｓｔｅｒ側からの第２の光ファイバにおけるサービス信号伝送遅延を受信し、Ｓｌａｖｅ側の伝送遅延確定ユニットにより確定された第１の光ファイバにおけるサービス信号伝送遅延及び受信された第２の光ファイバにおけるサービス信号伝送遅延に基づいて、第１の光ファイバと第２の光ファイバとの間の非対称性遅延を計算することに用いられ、時間同期補正モジュール１６は、双方向光ファイバの非対称性遅延に基づいて時間時間同期補正を行うことに用いられる。
【００５３】
Ｍａｓｔｅｒ側の、光ファイバの非対称性を自動的に検出する時間同期装置において、送信ユニット１２２は、第２の光ファイバに検出信号を送信することに用いられ、受信ユニット１２４は、第２の光ファイバから返された検出信号を受信することに用いられ、伝送遅延確定ユニット１２６は、第２の光ファイバにおける検出信号の送信と返された検出信号の受信との間の第２の時間差に基づいて第２の光ファイバにおける検出信号伝送遅延を確定し、そして第２の光ファイバにおける検出信号伝送遅延に基づいて第２の光ファイバにおけるサービス信号伝送遅延を確定することに用いられ、遅延補償モジュール１４は、Ｓｌａｖｅ側の時間同期装置の時間遅延補償モジュールに第２の光ファイバにおけるサービス信号伝送遅延を送信することに用いられる。
【００５４】
ここで、第１の光ファイバは、Ｓｌａｖｅ側の送信光ファイバ、Ｍａｓｔｅｒ側の受信光ファイバであってよく、第２の光ファイバは、Ｓｌａｖｅ側の受信光ファイバ、Ｍａｓｔｅｒ側の送信光ファイバであってよい、又は、第１の光ファイバは、Ｓｌａｖｅ側の受信光ファイバ、Ｍａｓｔｅｒ側の送信光ファイバであってよく、第２の光ファイバがＳｌａｖｅ側の送信光ファイバ、Ｍａｓｔｅｒ側の受信光ファイバであってよい。
【００５５】
以上のスキームによれば、Ｍａｓｔｅｒ側の時間同期装置の構成により、Ｓｌａｖｅ側は、第１の光ファイバと第２の光ファイバにおけるサービス信号伝送遅延を同時に取得することができ、それによって２つの光ファイバ間の非対称性遅延を確定し、さらに時間同期補正を行う。
【００５６】
送信されたＯＴＤＲ非対称性検出信号が散乱、反射現像を利用することを考え、一部のＯＴＤＲ非対称性検出信号がこの側（Ｓｌａｖｅ側）のＯＴＤＲ非対称性検出モジュールに返すことができ、それによってＯＴＤＲ非対称性検出モジュールは、後の処理を行うことができる。より多くの検出信号がＯＴＤＲ非対称性検出モジュールに返すように、好ましい実施形態として、Ｍａｓｔｅｒ側の受信光ファイバコネクタに、ＯＴＤＲ光パルスの波長に対して、固定波長の反射シートを増加し、Ｓｌａｖｅ側からＭａｓｔｅｒに到達する検出信号を反射することができ、Ｓｌａｖｅ側の受信光ファイバコネクタに、ＯＴＤＲ信号の波長に対して、固定波長の反射シートを増加し、Ｍａｓｔｅｒ側からＳｌａｖｅ側に到達する検出信号を反射し、両側のＯＴＤＲ非対称性検出モジュールがより精確に伝送遅延を確定することが可能ように、返された検出信号の量を高めることができる。
【００５７】
時間同期を行う場合、正常なサービス信号の送信を影響しないために、次のような装置で検出信号とサービス信号の共同送信を実現することができ、さらに合成波に非対称性検出のために必要な検出信号の抽出を実現することができる。
【００５８】
図２は本発明の実施例による光ファイバの非対称性を自動的に検出する時間同期装置の第１の好ましい構成ブロック図である。図２に示すように、好ましい実施形態として、当該装置は、時間同期モジュールの利用する側の光ファイバ受信側に位置し、サービス信号とＯＴＤＲ非対称性検出モジュール１２の送信ユニット１２２からの検出信号を波に合成し、そして光モジュール装置２２の送信ポートによって合成波を送信することに用いられる波合成モジュール２２２と、時間同期装置の利用する側の光ファイバ送信側に位置し、送信光ファイバから反射及び／散乱された信号を分割し、検出信号を分離し、そして分離された検出信号をＯＴＤＲ非対称性検出モジュール１２の受信ユニット１２４に送信することに用いられる第１の分割モジュール２２４とが含まれる光モジュール２２をさらに備える。以上の装置は、光ファイバ送信側にサービス信号と検出信号を送信する処理スキームを提供することにあり、ＭａｓｔｅｒとＳｌａｖｅが光ファイバ送信側に単一方向で送信するスキーム、及びＭａｓｔｅｒ又はＳｌａｖｅ双方向送信のスキームに適用する。
【００５９】
以上の構造により、時間同期補正処理をオンラインで行うことができ、非対称性検出を行うとともに、サービスメッセージの送信を行うことができる。
【００６０】
検出信号が入られた場合、光ファイバ受信側にサービス信号を正確に抽出し、又は光ファイバ受信側にサービス信号と検出信号を正確に抽出するために、光ファイバ受信側に分割モジュールを設置することができる。図３は本発明の実施例に係る光ファイバの非対称性を自動的に検出する時間同期装置の第２の好ましい構成ブロック図である。図３に示すように、好ましい技術的なスキームとして、光モジュール装置２２は、時間同期装置のある側の光ファイバ受信側に位置し、時間同期装置のある側の光ファイバ受信側からサービス信号と検出信号の合成波を受信した場合、受信された合成波を分割し、サービス信号（例えば図３において第２の分割モジュール２２６により解析されたサービス信号、当該場合がＭａｓｔｅｒとＳｌａｖｅが光ファイバ送信側に単一方向で送信するスキームに適用する）を分離し、又は、サービス信号と検出信号を分離し、そして検出信号をＯＴＤＲ非対称性検出モジュール１２の受信ユニット１２４（この場合が図示されなく、当該場合がＭａｓｔｅｒとＳｌａｖｅが光ファイバ受信側に単一方向で送信するスキーム、及びＭａｓｔｅｒ又はＳｌａｖｅ双方向送信スキームに適用する）に送信することに用いられる第２の分割モジュール２２６をさらに備える。
【００６１】
なお、以上の波合成モジュール２２２、第１の分割モジュール２２４および第２の分割モジュール２２６は、いずれもＷＤＭで実現されることができ、波合成モジュール２２２、第１の分割モジュール２２４がすべて光ファイバ送信側に位置することを考え、同じＷＤＭで両者の機能を実現することができると説明すべきである。
【００６２】
上述したように、両側のＯＴＤＲ非対称性検出モジュールがより正確に伝送遅延を確定することが可能となるように返された検出信号の量を高めることができるために、好ましい実施形態として、当該装置は、時間同期装置の利用する側の光ファイバコネクタに、固定波長の反射シートで相手側の時間同期装置の送信モジュールからの検出信号を反射することに用いられる反射モジュールをさらに備える。反射モジュールの設置位置が、採用される検出信号送信スキームによって確定され、Ｓｌａｖｅ側の時間同期装置が検出信号を双方向で送信する場合、Ｍａｓｔｅｒ側の時間同期装置の反射モジュールは、送信光ファイバ及び受信光ファイバコネクタに検出信号を反射することができ、逆もまた同様である。ＭａｓｔｅｒとＳｌａｖｅ側が送信ファイバを単一方向で送信する場合、各側の時間同期装置の反射モジュールは、受信光ファイバコネクタに検出信号を反射することができ、ＭａｓｔｅｒとＳｌａｖｅ側が受信ファイバを単一方向で送信する場合、各側の時間同期装置の反射モジュールが送信光ファイバコネクタに検出信号を反射することができる。
【００６３】
以上の反射モジュールがＭａｓｔｅｒ又はＳｌａｖｅ側の受信光ファイバコネクタに、ＯＴＤＲ信号の波長に対して、固定波長の反射シートを増加し、Ｍａｓｔｅｒ又はＳｌａｖｅ側に到達した検出信号を反射し、Ｓｌａｖｅ側又はＭａｓｔｅｒ側のＯＴＤＲ非対称性検出モジュールがより正確に伝送遅延を確定することが可能となるように返された検出信号の量を高めることができる。
【００６４】
図４は本発明の実施例に係る伝送遅延確定ユニットの詳しい構成ブロック図である。図４に示すように、伝送遅延確定ユニット１２６は、光ファイバｘにおける検出信号の伝送遅延Ｐ１ｘ＝（ｔ２ｘ-ｔ１ｘ）／２を確定することに用いられる検出遅延確定サブユニット１２６２と、光ファイバｘにおけるサービス信号の伝送遅延Ｐ２ｘ＝（ｎ２ｘ／ｎ１ｘ）×Ｐ１を確定することに用いられるサービス遅延確定サブユニット１２６４とを含むみ、その中、ｔ２ｘが、ＯＴＤＲ非対称性検出モジュール１２が光ファイバｘから返された検出信号を受信する時間であり、ｔ１ｘが、ＯＴＤＲ非対称性検出モジュール１２が光ファイバｘに検出信号を送信する時間であり、ｎ２ｘが、光ファイバｘにおけるサービス信号の波長の屈折率であり、ｎ１ｘが光ファイバｘにおける検出信号の波長の屈折率である。
【００６５】
遅延補償モジュール１４は、第１の光ファイバと第２の光ファイバとの間の非対称性遅延Ｍ＝Ｐ２１-Ｐ２２を計算することに用いられ、その中、Ｐ２１が第１の光ファイバにおけるサービス信号の伝送遅延であり、Ｐ２２が第２の光ファイバにおけるサービス信号の伝送遅延であ。
【００６６】
取得された非対称性遅延がより正確になるように、好ましい実施形態として、遅延補償モジュール１４は、所定の周期で非対称性遅延Ｍを計算し、そして所定の処理時間内に計算されたすべての非対称性遅Ｍの平均値を取って時間同期補正モジュール１６に送信することができる。
【００６７】
図５は本発明の実施例による時間同期補正モジュールの詳しい構成ブロック図である。図５に示すように、時間同期補正モジュール１６は、時間同期メッセージのタイムスタンプＴ１、Ｔ２、Ｔ３およびＴ４を記録することに用いられるタイムスタンプカウンタ１６２と、非対称性遅延補償値Ｏｆｆｓｅｔ＝[（Ａ-Ｂ）＋Ｍ]／２を計算することに用いられる補償値計算ユニット１６４と、非対称性遅延補償値に基づいて時間同期補正を行うことに用いられる時間同期補正ユニット１６６とを含み、その中、Ａ＝Ｔ２-Ｔ１、Ｂ＝Ｔ４-Ｔ３である。
【００６８】
以上の装置により、１５８８タイムスタンプＴ１、Ｔ２、Ｔ３およびＴ４と組み合わせると、ＳｌａｖｅネットワークエレメントがＭａｓｔｅｒネットワークエレメントの時間に従う同期補正を実現することができる。
【００６９】
方法の実施例
方法の実施例において、後方へ返された検出信号を送信して受信することにより、光ファイバにおける伝送遅延を取得することができ、双方向光ファイバにおける伝送遅延を比較することにより、双方向非対称性遅延を取得することができ、それによって時間同期補正を行う。その中、検出信号は、単一方向に送信されることができ、例えばＳｌａｖｅネットワークエレメントとＭａｓｔｅｒネットワークエレメントの光ファイバ送信側のみに送信され、又は、ＳｌａｖｅネットワークとＭａｓｔｅｒネットワークの光ファイバ受信側のみにＯＴＤＲ非対称性検出信号を送信することができ、双方方向に送信されることもでき、例えばＳｌａｖｅネットワークエレメントの光ファイバ送信側と光ファイバ受信側に送信されることができることは、以下のようにそれぞれ説明する。
【００７０】
(１)双方向送信
図６は本発明の実施例に係る双方向送信に基づく双方向光ファイバの非対称性を自動的に検出する時間同期方法の第１のフローチャートであり、当該方法は、
Ｓｌａｖｅ側がそれぞれ第１の光ファイバと第２の光ファイバに信号を送信するステップＳ６０２ａと、
Ｓｌａｖｅ側がそれぞれ第１の光ファイバと第２の光ファイバから返された検出信号を受信するステップＳ６０４ａと、
Ｓｌａｖｅ側が第１の光ファイバにおける検出信号の送信と返された検出信号の受信との間の第１の時間差に基づいて第１の光ファイバにおける検出信号の伝送遅延を確定し、そして第１の光ファイバにおける検出信号伝送遅延に基づいて第１の光ファイバにおけるサービス信号の伝送遅延を確定し、第２の光ファイバにおける検出信号の送信と返された検出信号の受信との間の第２の時間差に基づいて第２の光ファイバにおける検出信号の伝送遅延を確定し、そして第２の光ファイバにおける検出信号伝送遅延に基づいて第２の光ファイバにおけるサービス信号の伝送遅延を確定するステップＳ６０６ａと、
Ｓｌａｖｅ側が第１の光ファイバにおけるサービス信号伝送遅延と第２の光ファイバにおけるサービス信号伝送遅延に基づいて第１の光ファイバと第２の光ファイバとの間の非対称性遅延を計算するステップＳ６０８ａと、
Ｓｌａｖｅ側が非対称性遅延に基づいて時間同期補正を行うステップＳ６１０ａとを含む。
【００７１】
ここで、第１の光ファイバは、Ｓｌａｖｅ側の送信光ファイバ、Ｍａｓｔｅｒ側の受信光ファイバであってよく、第２の光ファイバがＳｌａｖｅ側の受信光ファイバ、Ｍａｓｔｅｒ側の送信光ファイバであってよい、又は、第１の光ファイバは、Ｓｌａｖｅ側の受信光ファイバ、Ｍａｓｔｅｒ側の送信光ファイバであってよく、第２の光ファイバがＳｌａｖｅ側の送信光ファイバ、Ｍａｓｔｅｒ側の受信光ファイバであってよい。
【００７２】
当該方法によれば、第１の光ファイバと第２の光ファイバに検出信号を送信して受信することにより、Ｓｌａｖｅは、第１の光ファイバと第２の光ファイバにおけるサービス信号の伝送遅延を同時に取得することができ、それによって２つの光ファイバ間の非対称性遅延を確定し、さらに時間同期補正を行って、双方向光ファイバの非対称性による影響を低減させ、従来技術において双方向光ファイバの長さの非対称性によって時間同期精度が悪い問題を解決し、時間同期精度を向上させた。
【００７３】
好ましい実施形態として、第１の光ファイバがＳｌａｖｅ側の送信光ファイバであり、第２の光ファイバがＳｌａｖｅ側の受信光ファイバである場合、Ｓｌａｖｅ側は、サービス信号と検出信号を波に合成し、第１の光ファイバにサービス信号と検出信号との合成波を送信し、そして第１の光ファイバから反射及び／又は散乱された信号を分割し、反射及び／又は散乱された検出信号を分離し、Ｓｌａｖｅ側は、第２の光ファイバに検出信号を送信し、そして第２の光ファイバから受信された信号を分割し、反射及び／又は散乱された検出信号とＭａｓｔｅｒ側からのサービス信号を分離する。
【００７４】
第１の光ファイバがＳｌａｖｅ側の受信光ファイバであり、第２の光ファイバがＳｌａｖｅ側の送信光ファイバである場合、Ｓｌａｖｅ側は、サービス信号と検出信号を波に合成し、第２の光ファイバにサービス信号と検出信号との合成波を送信し、そして第２の光ファイバから反射及び／又は散乱された信号を分割し、反射及び／又は散乱された検出信号を分離し、Ｓｌａｖｅ側は、第１の光ファイバに検出信号を送信し、そして第１の光ファイバから受信された信号を分割し、反射及び／又は散乱された検出信号とＭａｓｔｅｒ側からのサービス信号を分離する。
【００７５】
当該方法により、Ｓｌａｖｅ側が非対称性検出を行うとともに、サービスメッセージの送信を行うことができ、時間同期処理をオンラインで行うのを実現する。
【００７６】
送信されたＯＴＤＲ非対称性検出信号が散乱、反射現像を利用することを考え、一部の検出信号がこの側（Ｓｌａｖｅ側）のＯＴＤＲ非対称性検出モジュールに返すことができ、それによってＯＴＤＲ非対称性検出モジュールは、後の処理を行うことが可能となる。より多くの検出信号がＯＴＤＲ非対称性検出モジュールに返すように、好ましい実施形態として、Ｍａｓｔｅｒ側が第１の光ファイバ／第２の光ファイバの光ファイバコネクタに固定波長の反射シートによって検出信号を反射する。当該方法により、Ｓｌａｖｅ側のＯＴＤＲ非対称性検出モジュールがより正確に伝送遅延を確定することが可能となるように、返された検出信号の量を高めることができる。
【００７７】
好ましくは、第１の光ファイバにおける検出信号の送信と返された検出信号の受信との間の第１の時間差に基づいて第１の光ファイバにおける検出信号の伝送遅延を確定し、そして第１の光ファイバにおける検出信号の伝送遅延に基づいて第１の光ファイバにおけるサービス信号の伝送遅延を確定することは、第１の光ファイバにおける検出信号伝送遅延Ｐ１１＝（ｔ２１-ｔ１１）／２を確定することと、第１の光ファイバにおけるサービス信号の伝送遅延Ｐ２１＝（ｎ２１／ｎ１１）×Ｐ１１を確定することを含み、その中、ｔ２１が第１の光ファイバから返された検出信号を受信する時間であり、ｔ１１が第１の光ファイバに検出信号を送信する時間であり、ｎ２１が第１の光ファイバにおけるサービス信号の屈折率であり、ｎ１１が第１の光ファイバにおける検出信号の屈折率である。第２の光ファイバにおける検出信号の送信と返された検出信号の受信との間の第２の時間差に基づいて第２の光ファイバにおける検出信号の伝送遅延を確定し、そして第２の光ファイバにおける検出信号の伝送遅延に基づいて第２の光ファイバにおけるサービス信号の伝送遅延を確定することは、第２の光ファイバにおける検出信号の伝送遅延Ｐ１２＝（ｔ２２-ｔ１２）／２を確定することと、第２の光ファイバにおけるサービス信号の伝送遅延Ｐ２２＝（ｎ２２／ｎ１２）×Ｐ１２を確定することとを含み、その中、ｔ２２が第２の光ファイバから返された検出信号を受信する時間であり、ｔ１２が第２の光ファイバに検出信号を送信する時間であり、ｎ２２が第２の光ファイバにおけるサービス信号の屈折率であり、ｎ１２が第２の光ファイバにおける検出信号の屈折率である。
【００７８】
好ましくは、ステップＳ６０８ａは、第１の光ファイバと第２の光ファイバとの間の非対称性遅延Ｍ＝Ｐ２1-Ｐ２２を計算することを含む。
【００７９】
好ましくは、ステップＳ６１０ａは、タイムスタンプカウンタで時間同期メッセージの時間Ｔ１、Ｔ２、Ｔ３およびＴ４を記録し、非対称性遅延補償値Ｏｆｆｓｅｔ＝[（Ａ-Ｂ）＋Ｍ]／２を計算し、その中、Ａ＝Ｔ２-Ｔ１、Ｂ＝Ｔ４-Ｔ３、非対称性遅延補償値に基づいて時間同期補正を行うことを含む。
【００８０】
以上の方法により、１５８８タイムスタンプＴ１、Ｔ２、Ｔ３およびＴ４と組み合わせて、システム時間の補正を実現することができる。
【００８１】
図７は本発明の実施例に係る双方向送信に基づく双方向光ファイバの非対称性を自動的に検出する時間同期方法の第２のフローチャートであり、当該方法は、
Ｍａｓｔｅｒ側がそれぞれ第１の光ファイバと第２の光ファイバに検出信号を送信するステップＳ６０２ｂと、
Ｍａｓｔｅｒ側がそれぞれ第１の光ファイバと第２の光ファイバから返された検出信号を受信するステップＳ６０４ｂと、
Ｍａｓｔｅｒ側が第１の光ファイバにおける検出信号の送信と返された検出信号の受信との間の第１の時間差に基づいて第１の光ファイバにおける検出信号の伝送遅延を確定し、第１の光ファイバにおける検出信号の伝送遅延に基づいて第１の光ファイバにおけるサービス信号の伝送遅延を確定し、第２の光ファイバいおける検出信号の送信と返された検出信号の受信との間の第２の時間差に基づいて第２の光ファイバにおける検出信号の伝送遅延を確定し、そして第２の光ファイバにおける検出信号伝送遅延に基づいて第２の光ファイバにおけるサービス信号の伝送遅延を確定するステップＳ６０６ｂと、
Ｍａｓｔｅｒ側が第１の光ファイバにおけるサービス信号の伝送遅延と第２の光ファイバにおけるサービス信号伝送遅延をＳｌａｖｅ側に送信するステップＳ６０８ｂと、
Ｓｌａｖｅ側が第１の光ファイバにおけるサービス信号の伝送遅延と第２の光ファイバにおけるサービス信号の伝送遅延に基づいて第１の光ファイバと第２の光ファイバとの間の非対称性遅延を計算するステップＳ６１０ｂと、
Ｓｌａｖｅ側が非対称性遅延に基づいて時間同期補正を行うステップＳ６１２ｂと、を含む。
【００８２】
当該方法によれば、Ｍａｓｔｅｒ側が第１の光ファイバと第２の光ファイバに検出信号を送信して受信し、そして計算された第１の光ファイバと第２の光ファイバにおけるサービス信号伝送遅延をＳｌａｖｅ側に伝送することにより、Ｓｌａｖｅ側は、第１の光ファイバと第２の光ファイバにおけるサービス信号の伝送遅延を同時に取得することができ、それによって２つの光ファイバ間の非対称性遅延を確定し、さらに時間同期補正を行って、双方向光ファイバの非対称性による影響を低減させ、従来技術において双方向光ファイバの非対称性によって時間同期精度が悪い問題を解決し、時間同期精度を向上させた。
【００８３】
好ましい実施例として、第１の光ファイバがＭａｓｔｅｒ側の送信光ファイバであり、第２の光ファイバがＭａｓｔｅｒ側の受信光ファイバである場合、Ｍａｓｔｅｒ側は、サービス信号と検出信号を波に合成し、第１の光ファイバにサービス信号と検出信号との合成波を送信し、そして第１の光ファイバから反射及び／又は散乱された信号を分割し、反射及び／又は散乱された検出信号を分離し、Ｍａｓｔｅｒ側は、第２の光ファイバに検出信号を送信し、そして第２の光ファイバから受信された信号を分割し、反射及び／又は散乱された検出信号とＳｌａｖｅ側からのサービス信号を分離する。
【００８４】
第１の光ファイバがＭａｓｔｅｒ側の受信光ファイバであり、第２の光ファイバがＭａｓｔｅｒ側の送信光ファイバである場合、Ｍａｓｔｅｒ側は、サービス信号と検出信号を波に合成し、第２の光ファイバにサービス信号と検出信号の合成波を送信し、そして第２の光ファイバから反射及び又は散乱された信号を分割し、反射及び又は散乱された検出信号を分離し、Ｍａｓｔｅｒ側は、第１の光ファイバに検出信号を送信し、そして第１の光ファイバから受信された信号を分割し、反射及び又は散乱された検出信号とＳｌａｖｅからのサービス信号を分離する。
【００８５】
当該方法により、Ｍａｓｔｅｒ側が非対称性検出を行うとともに、サービスメッセージの送信を行うことができ、時間同期処理をオンラインで行うことを実現する。
【００８６】
送信されたＯＴＤＲ非対称性検出信号が散乱、反射現像を利用することを考え、一部の検出信号がこの側（Ｍａｓｔｅｒ側）のＯＴＤＲ非対称性検出モジュールに返すことができ、それによってＯＴＤＲ非対称性検出モジュールは、後の処理を行うことができる。より多くの検出信号がＯＴＤＲ非対称性検出モジュールに返すように、好ましい実施スキームとして、Ｓｌａｖｅ側が第１の光ファイバ／第２の光ファイバの光ファイバコネクタに固定波長の反射シートによって検出信号を反射する。当該方法により、Ｍａｓｔｅｒ側のＯＴＤＲ非対称性検出モジュールがより正確に伝送遅延を確定することが可能となるように、返された検出信号の量を高めることができる。
【００８７】
好ましくは、第１の光ファイバにおける検出信号の送信と返された検出信号の受信との間の第１の時間差に基づいて第１の光ファイバにおける検出信号の伝送遅延を確定し、そして第１の光ファイバにおける検出信号伝送遅延に基づいて第１の光ファイバにおけるサービス信号の伝送遅延を確定することは、第１の光ファイバにおける検出信号の伝送遅延Ｐ１１＝（ｔ２１-ｔ１１）／２を確定することと、第１の光ファイバにおけるサービス信号の伝送遅延Ｐ２１＝（ｎ２１／ｎ１１）×Ｐ１１を確定することと、を含み、その中、ｔ２１が第１の光ファイバから返された検出信号を受信する時間であり、ｔ１１が第１の光ファイバに検出信号を送信する時間であり、ｎ２１が第１の光ファイバにおけるサービス信号の屈折率であり、ｎ１１が第１の光ファイバにおける検出信号の屈折率である。第２の光ファイバにおける検出信号の送信と返された検出信号の受信との間の第２の時間差に基づいて第２の光ファイバにおける検出信号の伝送遅延を確定し、そして第２の光ファイバにおける検出信号の伝送遅延に基づいて第２の光ファイバにおけるサービス信号の伝送遅延を確定することは、第２の光ファイバにおける検出信号の伝送遅延Ｐ１２＝（ｔ２２-ｔ１２）／２を確定することと、第２の光ファイバにおけるサービス信号の伝送遅延Ｐ２２＝（ｎ２２／ｎ１２）×Ｐ１２を確定することと、を含み、その中、ｔ２２が第２の光ファイバから返された検出信号を受信する時間であり、ｔ１２が第２の光ファイバに検出信号を送信する時間であり、ｎ２２が第２の光ファイバにおけるサービス信号の屈折率であり、ｎ１２が第２の光ファイバにおける検出信号の屈折率である。
【００８８】
好ましくは、ステップＳ６１０ｂは、第１の光ファイバと第２の光ファイバとの間の非対称性遅延Ｍ＝Ｐ２１-Ｐ２２を計算することを含む。
【００８９】
好ましくは、ステップＳ６１２ｂは、タイムスタンプカウンタで時間同期メッセージの時間Ｔ１、Ｔ２、Ｔ３およびＴ４を記録し、非対称性遅延補償値Ｏｆｆｓｅｔ＝[（Ａ-Ｂ）＋Ｍ]／２を計算し、その中、Ａ＝Ｔ２-Ｔ１、Ｂ＝Ｔ４-Ｔ３、非対称性遅延補償値に基づいて時間同期補正を行うことを含む。
【００９０】
以上の方法により、１５８８タイムスタンプＴ１、Ｔ２、Ｔ３およびＴ４と組み合わせて、システム時間の補正を実現することができる。
【００９１】
（２）単一方向送信
図８は本発明の実施例による単一方向送信に基づく双方向非対称性を自動的に検出する時間同期方法のフローチャートである。図８に示すように、当該方法は、
Ｓｌａｖｅ側が第１の光ファイバに検出信号を送信し、そして第１の光ファイバから返された検出信号を受信するステップＳ７０２と、
Ｓｌａｖｅ側が第１の光ファイバにおける検出信号の送信と返された検出信号の受信との間の第１の時間差に基づいて第１の光ファイバにおける検出信号の伝送遅延を確定し、そして第１の光ファイバにおける検出信号の伝送遅延に基づいて第１の光ファイバにおけるサービス信号の伝送遅延を確定するステップＳ７０４と、
Ｓｌａｖｅ側が第１の光ファイバにおけるサービス信号伝送遅延と受信されたＭａｓｔｅｒ側からの第２の光ファイバにおけるサービス信号の伝送遅延に基づいて非対称性遅延を計算し、その中、Ｍａｓｔｅｒ側が第２の光ファイバにおけるサービス信号伝送遅延を取得する方式はＭａｓｔｅｒ側が第２の光ファイバに検出信号を送信し、そして第２の光ファイバから返された検出信号を受信し、第２の光ファイバにおける検出信号の送信と返された検出信号の受信との間の第２の時間差に基づいて第２の光ファイバにおける検出信号の伝送遅延を確定し、そして第２の光ファイバにおける検出信号の伝送遅延に基づいて第２の光ファイバにおけるサービス信号の伝送遅延を確定することを含むステップ７０６と、
Ｓｌａｖｅ側が非対称性遅延に基づいて時間同期補正を行うステップ７０８とを含む。
【００９２】
その中、第１の光ファイバがＳｌａｖｅ側の送信光ファイバ、Ｍａｓｔｅｒ側の受信光ファイバであってよく、第２の光ファイバがＳｌａｖｅ側の受信側、Ｍａｓｔｅｒ側の送信光ファイバであってよい、又は、第１の光ファイバがＭａｓｔｅｒ側の送信光ファイバ、Ｓｌａｖｅ側の受信光ファイバであってよく、第２の光ファイバがＭａｓｔｅｒ側の受信側、Ｓｌａｖｅ側の送信光ファイバであってよい。
【００９３】
以上のスキームによれば、Ｍａｓｔｅｒ側の光ファイバの非対称性を自動的に検出する時間同期装置の構成により、Ｓｌａｖｅ側は、第１の光ファイバと第２の光ファイバにおける伝送遅延を同時に取得することができ、それによって２つのファイバ間の非対称性遅延を確定し、さらに時間同期補正を行って、双方向光ファイバの非対称性の影響を低減させ、従来技術において双方向光ファイバの長さの非対称性によって時間同期精度が悪いという問題を解決し、時間同期精度を向上させた。
【００９４】
好ましくは、第１の光ファイバにおける検出信号の送信と返された検出信号の受信との間の第１の時間差に基づいて第１の光ファイバにおける検出信号の伝送遅延を確定し、そして第１の光ファイバにおける検出信号の伝送遅延に基づいて第１の光ファイバにおけるサービス信号の伝送遅延を確定することは、第１の光ファイバにおける検出信号の伝送遅延Ｐ１１＝（ｔ２１-ｔ１１）／２を確定することと、第１の光ファイバにおけるサービス信号の伝送遅延Ｐ２１＝（ｎ２１／ｎ１１）×Ｐ１１を確定することと、を含み、その中、ｔ２１が第１の光ファイバから返された検出信号を受信する時間であり、ｔ１１が第１の光ファイバに検出信号を送信する時間であり、ｎ２１が第１の光ファイバにおけるサービス信号の屈折率であり、ｎ１１が第１の光ファイバにおける検出信号の屈折率である。第２の光ファイバにおける検出信号の送信と返された検出信号の受信との間の第２の時間差に基づいて第２の光ファイバにおける検出信号の伝送遅延を確定し、そして第２の光ファイバにおける検出信号の伝送遅延に基づいて第２の光ファイバにおけるサービス信号の伝送遅延を確定することは、第２の光ファイバにおける検出信号の伝送遅延Ｐ１２＝（ｔ２２-ｔ１２）／２を確定することと、第２の光ファイバにけるサービス信号の伝送遅延Ｐ２２＝（ｎ２２／ｎ１２）×Ｐ１２を確定することと、を含み、その中、ｔ２２が第２の光ファイバから返された検出信号を受信する時間であり、ｔ１２が第２の光ファイバに検出信号を送信する時間であり、ｎ２２が第２の光ファイバにおけるサービス信号の屈折率であり、ｎ１２が第２の光ファイバにおける検出信号の屈折率である。
【００９５】
好ましくは、ステップＳ７０６は、第１の光ファイバと第２の光ファイバとの間の非対称性遅延Ｍ＝Ｐ２１-Ｐ２２を計算することを含む。
【００９６】
好ましくは、ステップＳ７０８は、タイムスタンプカウンタで時間同期メッセージの時間Ｔ１、Ｔ２、Ｔ３およびＴ４を記録し、非対称性遅延補償値Ｏｆｆｓｅｔ＝[（Ａ-Ｂ）＋Ｍ]／２を計算し、その中、Ａ＝Ｔ２-Ｔ１、Ｂ＝Ｔ４-Ｔ３、非対称性遅延補償値に基づいて時間同期補正を行うことを含む。
【００９７】
以上の方法により、１５８８タイムスタンプＴ１、Ｔ２、Ｔ３とＴ４と組み合わせて、システム時間の補正を実現することができる。
【００９８】
好ましい実施例として、第１の光ファイバがＳｌａｖｅ側の送信光ファイバであり、第２の光ファイバがＭａｓｔｅｒ側の送信光ファイバである場合、Ｓｌａｖｅ側は、サービス信号と検出信号を波に合成し、そして第１の光ファイバにサービス信号と検出信号との合成波を送信し、Ｓｌａｖｅ側の光ファイバ送信側がＷＤＭ分割装置で反射信号を受信し、そして反射信号からＯＴＤＲ検出信号を分解し、ＯＴＤＲ非対称性検出モジュールに伝送し、Ｍａｓｔｅｒ側は、サービス信号と検出信号を波に合成し、そして第２の光ファイバにサービス信号と検出信号との合成波を送信し、Ｍａｓｔｅｒ側の光ファイバ送信側がＷＤＭ波分割装置で反射信号を受信し、そして反射信号からＯＴＤＲ検出信号を分解し、ＯＴＤＲ非対称性検出モジュールに伝送し、その中、検出信号の波長がサービス信号の波長と異なる。
【００９９】
当該方法により、Ｓｌａｖｅ側とＭａｓｔｅｒ側は、非対称性検出を行うとともに、サービスメッセージの送信を行うことができ、時間同期処理をオンラインで行うことを実現する。
【０１００】
送信されたＯＴＤＲ非対称性検出信号が散乱、反射現像を利用することを考え、一部のＯＴＤＲ非対称性検出信号が本側（Ｓｌａｖｅ側又はＭａｓｔｅｒ側）のＯＴＤＲ非対称性検出モジュールに返すことができ、それによってＯＴＤＲ非対称性検出モジュールは、後の処理を行うことができる。より多くの検出信号がＯＴＤＲ非対称性検出モジュールに返すように、好ましい実施スキームとして、第１の光ファイバがＳｌａｖｅ側の送信光ファイバであり、第２の光ファイバがＭａｓｔｅｒ側の送信光ファイバである場合、当該方法は、第１の光ファイバからＳｌａｖｅ側からのサービス信号と検出信号との合成波を受信した場合、Ｍａｓｔｅｒ側が第１の光ファイバの光ファイバコネクタに、固定波長の反射シートで検出信号を反射するステップと、第２の光ファイバからＭａｓｔｅｒ側からのサービス信号と検出信号との合成波を受信した場合、Ｓｌａｖｅ側が第２の光ファイバの光ファイバコネクタに、固定波長の反射シートで検出信号を反射するステップとをさらに含む。当該方法により、両側のＯＴＤＲ非対称性検出モジュールがより正確に伝送遅延を確定することが可能となるように、返された検出信号の量を高めることができる。
【０１０１】
方法の実施例に記載された方法は、装置の実施例に記載された装置により実現されることができる。
【０１０２】
以上の方法の実施例と装置の実施例において、検出信号は、検出光パルスであってよく、サービス信号がサービスパルスであってよい。好ましい実施例として、検出光パルスの波長がサービス光パルスの波長と異なる。
【０１０３】
以下に検出信号を検出光パルスとし、サービス信号をサービス光パルスとすることを例にして、具体的な実施例で、以上の装置の実施例と方法の実施例中のスキームを詳しく説明する。それが好ましい実施例に過ぎなく、本発明の保護範囲を限定することではないと説明すべきである。
【０１０４】
実施例１
この実施形態において、光ファイバの非対称性を自動的に時間同期装置は、光モジュール装置、ＯＴＤＲ非対称性検出装置、遅延補償モジュール、時間補正モジュール、１５８８プロトコルモジュールに分けられ、その中、光モジュール装置、１５８８プロトコルモジュールが光ファイバの非対称性を自動的に検出する時間同期装置の一部に属し、ＯＴＤＲ非対称検出装置、遅延補償モジュール、時間同期補正モジュールは、本特許内容に属し、重点的に説明される。
【０１０５】
双方向光ファイバの非対称性の自動検出を実現するために、まず、両側のネットワークエレメント（Ｍａｓｔｅｒ／Ｓｌａｖｅ）のシステムクロックが周波数同期状態にあることを保証する。これに基づいて、Ｍａｓｔｅｒ／Ｓｌａｖｅネットワークエレメントがメッセージの送受信周波数が一致し、Ｓｌａｖｅ側によって非対称性遅延データを抽出し、双方向光ファイバの非対称性遅延補償を行い、時間同期補正を行う。
【０１０６】
Ｓｌａｖｅ側：
光モジュールは、正常なサービスの波長を送信する。
【０１０７】
ＯＴＤＲ非対称性検出装置は、ＯＴＤＲ非対称性検出光パルス（正常なサービスパルスと異なる範囲の波長を使用する）を送信し、例えばＯＴＤＲ光パルスに対して１６２５ｎｍの波長を使用し、正常なサービス光パルスに対して１３１０又は１５５０ｎｍの波長を使用する。
【０１０８】
ＯＴＤＲ光パルスは、単一方向で送信されることができ、例えば光ファイバ送信側又は光ファイバ受信側のみにＯＴＤＲ非対称性検出光パルスを送信することができ、双方向で送信されることもでき、例えば光ファイバ送信側／光ファイバ受信側にＯＴＤＲ非対称性検出光パルスを送信することができる。
【０１０９】
本実施形態において、ＳｌａｖｅネットワークエレメントとＭａｓｔｅｒネットワークエレメントの光ファイバ送信側にＯＴＤＲ非対称性検出光パルスに送信する。
【０１１０】
ＷＤＭ波長分割多重化装置により、異なる波長の光パルスを分割多重化して、相手側装置（Ｍａｓｔｅｒ側）に送信する。
【０１１１】
ＯＴＤＲ検出光パルスは、光ファイバに伝送されて散乱、反射現像を利用するので、一部がこの側（Ｓｌａｖｅ側又はＭａｓｔｅｒ側）のＯＴＤＲ非対称性検出モジュールに返すことができる。同時に、相手側装置（Ｍａｓｔｅｒ側）が受信光ファイバコネクタに、ＯＴＤＲ光パルスの波長に対して、固定波長の反射シートを増加し、Ｍａｓｔｅｒに到達した検出光パルスを反射する。当該方法により、Ｓｌａｖｅ側のＯＴＤＲ非対称性検出モジュールがより正確に伝送遅延を確定することが可能となるように、返された検出光パルスの量を高めることができる。
【０１１２】
Ｍａｓｔｅｒ又はＳｌａｖｅの光ファイバ受信側は、ＷＤＭ波長分割多重化装置により、ＯＴＤＲ非対称性検出光パルスと正常なサービス光パルスを分解する。
【０１１３】
Ｓｌａｖｅ側の光ファイバ送信側は、ＷＤＭ波分割装置により反射信号を受信し、そして反射信号からＯＴＤＲ検出信号を分解し、ＯＴＤＲ非対称性検出モジュールに伝送し、ＯＴＤＲ非対称性検出装置は、サンプリング周波数を設定し、一定の周波数でＯＴＤＲ返し情報を受信することができる。ＯＴＤＲ返し情報、信号を送信してから信号を返すために使用される時間に基づいて、光ファイバ遅延を取得することができ、異なる波長の検出光パルスとサービス光パルスの屈折率比を比較することで、光ファイバにおけるサービス光パルスの伝送遅延を取得することができる。
【０１１４】
Ｓｌａｖｅ側の非対称性遅延補償モジュールは、双方向光ファイバ伝送遅延に基づいて、双方向光ファイバ非対称性遅延を計算し、光ファイバ遅延による非対称性差を取得し、そして時間同期補正モジュールにフィードバックする。
【０１１５】
Ｓｌａｖｅ側の時間同期補正モジュールは、双方向光ファイバの非対称性差、及び１５８８プロトコルのＴ１、Ｔ２、Ｔ３およびＴ４タイムスタンプに基づいて、双方向非対称性遅延補償値を計算し、ＳｌａｖｅネットワークエレメントがＭａｓｔｅｒネットワークエレメントの時間に従うのを完了し、１５８８時間同期を達成する。
【０１１６】
当該実施例において、ＯＴＤＲ非対称性検出装置によってＯＴＤＲ非対称性検出光パルス（正常なサービス光パルスと異なる範囲の波長を使用する）を送信し、ＯＴＤＲ技術により、時間同期ネットワークエレメント即ちＭａｓｔｅｒ、Ｓｌａｖｅネットワークエレメント間の双方向光ファイバ非対称性伝送遅延をオンラインで検出し、Ｓｌａｖｅ側ネットワークエレメントによって、双方向光パルス非対称性遅延を計算し、遅延に基づいて１５８８時間伝送の光ファイバ非対称性遅延補償を行い、ＳｌａｖｅネットワークエレメントがＭａｓｔｅｒネットワークエレメントの時間に従うのを完了する。当該スキームにより、従来ネットワークにおける１５８８時間伝送の非対称性補償との問題を徹底的に解決でき、ＯＴＤＲ技術により双方向光ファイバ非対称性検出をオンラインで行い、光ファイバの伝送減衰、コネクタ減衰、使用老化などの問題を徹底的に解決することができ、いつでもＯＴＤＲ非対称性検出により光ファイバ伝送遅延を取得し、Ｓｌａｖｅ側の１５８８時間伝送の光ファイバ非対称性遅延補償をリアルタイムに調整し、時間同期精度を向上させ、無線ＴＤＤサービスの時間同期に対する需要を満たすことができる。
【０１１７】
実施例２
図９は本発明の実施例２に係る光ファイバの非対称性を自動的に検出するスキームのフローチャートである。図９に示すように、光ファイバの非対称性を自動的に検出するスキームは、具体的に以下のステップを含む。
【０１１８】
ステップＳ８０１において、Ｍａｓｔｅｒ側は１５８８プロトコルメッセージを開始する。メッセージは、正常に光モジュールにより処理され、Ｓｌａｖｅ側に送信される。
【０１１９】
ステップＳ８０２において、Ｓｌａｖｅ側は１５８８プロトコルメッセージを受信し、タイムスタンプを記録し、そしてメッセージを返信する。メッセージは、正常に光モジュールにより処理され、正常なサービスメッセージの波長でＭａｓｔｅｒ側に送信される。
【０１２０】
ステップＳ８０３において、Ｓｌａｖｅ側はコントローラが、ＯＴＤＲ光ファイバ非対称遅延検出を開始し、ＯＴＤＲ非対称性検出装置によって、ＯＴＤＲ光パルスを送信し、双方向光ファイバ非対称性遅延をオンラインで検出する。
【０１２１】
ステップＳ８０４において、Ｓｌａｖｅ側は双方向光ファイバの非対称性遅延を取得し、遅延補償を行う。
【０１２２】
ステップＳ８０５において、Ｓｌａｖｅ側は時間をＭａｓｔｅｒ側に同期させる。
【０１２３】
ここで、ステップＳ８０１／Ｓ８０２は、正常な１５８８メッセージインタラクティブプロセスに属し、１５８８メッセージと互いに結合して、双方向光ファイバの非対称性遅延報償を完了することができる。
【０１２４】
実施例３
図１０は本発明の実施例３に係るＳｌａｖｅ側のＯＴＤＲ光非対称性遅延検出フローチャートであり、図１０に示すように、具体的に以下のステップを含む。
【０１２５】
ステップＳ９０１において、コントローラは、ＯＴＤＲ光ファイバ非対称性遅延検出を開始し、ＯＴＤＲ非対称性検出装置は、検出波長を送信し、同時にＯＴＤＲ検出光パルスの送信時間ｔ１１を記録する。
【０１２６】
ＯＴＤＲ光パルスは、単一方向で送信されることができ、例えば光ファイバ送信側又は光ファイバ受信側のみにＯＴＤＲ非対称性検出光パルスを送信することができ、双方向に送信されることもでき、例えば光ファイバ送信側／光ファイバ受信側にＯＴＤＲ非対称性検出光パルスを送信することができる。
【０１２７】
ステップＳ９０２において、ＷＤＭ波長分割多重化装置により、異なる波長の光パルス（正常なサービスメッセージ光パルスとＯＴＤＲ非対称性検出光パルス）を多重化して、相手側Ｍａｓｔｅｒ装置に送信する。
【０１２８】
ステップＳ９０３において、Ｍａｓｔｅｒの受信光ファイバコネクタに、ＯＴＤＲ光パルスの波長に対して、固定波長の反射シートを増加し、Ｍａｓｔｅｒに到達した検出光パルスを反射し、当該方法により、両側のＯＴＤＲ非対称性検出モジュールがより正確に伝送遅延を確定することが可能となるように、検出光パルスの量を高めることができる。相手側Ｍａｓｔｅｒ装置は、光を受信した後、ＷＤＭ波長分割多重化装置により、異なる波長に分解する。
【０１２９】
ステップＳ９０４において、Ｓｌａｖｅ装置の光ファイバ送信側は、ＷＤＭ波長分割装置で反射信号を受信し、そして反射信号からＯＴＤＲ検出信号を分解し、ＯＴＤＲ非対称性検出モジュールに伝送し、ＯＴＤＲ反射光パルスを受信して、返し時間ｔ２１を記録し、ｔ２１-ｔ１１の差に基づいて、Ｓｌａｖｅの光ファイバ送信側における光パルスの伝送遅延Ｐ１１＝（ｔ２１-ｔ１１）／２を検出する。
【０１３０】
ステップ９０５において、検出波長とサービス波長の屈折率比を比較することで、光ファイバにおける波長の伝送遅延を取得する。
【０１３１】
例えば、
ＯＴＤＲ非対称性検出信号の送信時間＝ｔ１１；
ＯＴＤＲ非対称性検出信号の返し時間＝ｔ２１
ＯＴＤＲ光パルスの伝送遅延Ｐ１１＝（ｔ２１-ｔ１１）／２；
光ファイバにおけるＯＴＤＲ光パルスの屈折率＝ｎ１１；
光ファイバにおける正常なサービスメッセージ光パルスの屈折率＝ｎ２１；
検出波長とサービス波長の屈折率比を比較することで、光ファイバーにおける正常なサービスメッセージの伝送遅延Ｐ２１＝（ｎ２１／ｎ１１）×Ｐ１１を取得することができる。
【０１３２】
光パルスが光ファイバに伝送する場合、遅延に影響するパラメータが多く、例えば屈折率、散乱、反射などであるが、光ファイバにおける正常メッセージの伝送遅延は、主にＯＴＤＲ光パルス伝送遅延と比較するので、パラメータへの影響の一部が互いに相殺することができる。当該式は、一定の誤差が存在するが、占める割合が小さく、且つ双方向光ファイバの誤差が互いに相殺することができるので、無視できる。
【０１３３】
ステップＳ９０６において、正常な１５８８メッセージの時間同期計算式、及び双方向光ファイバの非対称性遅延に基づいて、双方向光ファイバの非対称性遅延補償を行って、時間同期計算を完了する。Ｓｌａｖｅ側は、時間をＭａｓｔｅｒ側に同期させる。
【０１３４】
実施例４
図１１は本発明の実施例４に係るＳｌａｖｅ側が光ファイバの非対称性を自動的に検出する時間同期装置を示す図である。図１１に示すように、当該装置は、主に１５８８プロトコルモジュール、時間同期モジュール、遅延報償モジュール、光モジュール装置、ＯＴＤＲ非対称性検出モジュールを備える。
【０１３５】
図９に示すように、１５８８プロトコルモジュールは、１５８８プロトコルに基づいてプロトコルメッセージを生成し、プロトコルメッセージが時間同期モジュールによって送受信され、時間同期モジュールは、１５８８メッセージのタイプに基づいて１５８８メッセージのタイムスタンプを記録する。
【０１３６】
Ｍａｓｔｅｒ側において、ＳｙｎｃメッセージがタイムスタンプＴ１を記録し、Ｄｅｌａｙ−ＲｅｓｐメッセージがタイムスタンプＴ４を記録する。
【０１３７】
Ｓｌａｖｅ側において、ＳｙｎｃメッセージがタイムスタンプＴ１、Ｔ２を記録し、Ｄｅｌａｙ−ｒｅｑメッセージがタイムスタンプＴ３を記録し、Ｄｅｌａｙ−ｒｅｓｐメッセージがタイムスタンプＴ４を記録する。最終、Ｓｌａｖｅ側の時間同期モジュールは、１５８８タイムスタンプＴ１／Ｔ２／Ｔ３／Ｔ４を記録する。
【０１３８】
時間同期モジュールの基準時間は、システム時間である。
【０１３９】
Ｍａｓｔｅｒ側とＳｌａｖｅ側の間の１５８８プロトコルメッセージの相互インタラクティブは、正常なサービスメッセージのインタラクティブに属し、タイムスタンプがキャリーされる１５８８メッセージは光モジュールによって送受信され、正常なサービスメッセージとして送信される。ここでは詳しく説明しない。
【０１４０】
Ｓｌａｖｅ側：コントローラによってＯＴＤＲ非対称性検出装置を制御し、ＯＴＤＲ非対称性検出光パルスを送信し、正常なサービスメッセージ光パルスの波長と異なり、例えばＯＴＤＲ非対称性検出光パルスの波長が１６２５ｎｍであり、正常なサービスメッセージ光パルスの波長が１３１０ｎｍ又は１５５０ｎｍである。２種類の波長が波長分割多重化装置により、異なる波長の光パルスを多重化し、光ファイバに送信する。
【０１４１】
ＯＴＤＲ非対称性検出光パルスの送信時間ｔ１１を同時に記録する。
【０１４２】
Ｍａｓｔｅｒの受信光ファイバコネクタに、ＯＴＤＲ光パルスの波長に対して、固定波長の反射シートを増加し、Ｍａｓｔｅｒに到達した検出光パルスを反射する。当該方法により、両側のＯＴＤＲ非対称性検出モジュールがより正確に伝送遅延を確定することが可能となるように、返された検出光パルスの量を高めることができる。相手側Ｍａｓｔｅｒ装置は、ＷＤＭ波長分割多重化装置により、ＯＴＤＲ非対称性検出光パルスと正常なサービス光パルスを分解する。
【０１４３】
Ｓｌａｖｅ側：光ファイバ送信側は、ＷＤＭ波長分割装置で反射信号を受信し、そして反射信号からＯＴＤＲ検出信号を分解し、ＯＴＤＲ非対称性検出モジュールに伝送し、ＯＴＤＲ非対称性検出モジュールによってＯＴＤＲの返し光情報を受信する。サンプリング周波数を設定し、一定の周波数でＯＴＤＲ返し情報を受信し、ＯＴＤＲ非対称性検出光パルスの返し時間ｔ２１を記録することができる。ＯＴＤＲ返し情報、信号を送信してから信号を返すために使用される時間に基づいて、光ファイバにおけるＯＴＤＲ非対称性検出光パルスの伝送遅延を取得することができる。
【０１４４】
検出波長とサービス波長の屈折率比を比較することで、光ファイバにおけるサービス波長の伝送遅延を取得することができる。
【０１４５】
ＯＴＤＲ光パルスは、単一方向に送信されることができ、例えばＳｌａｖｅとＭａｓｔｅｒ側の光ファイバ送信側、又はＳｌａｖｅとＭａｓｔｅｒ側の光ファイバ受信側のみに、ＯＴＤＲ非対称性検出光パルスを送信することができ、双方向に送信されることができ、例えばＳｌａｖｅの光ファイバ送信側／光ファイバ受信側にＯＴＤＲ非対称性検出光パルスを送信することができる。
【０１４６】
図１２及び図１３は本発明の実施例４に係るＳｌａｖｅ側のＯＴＤＲ非対称性検出モジュールと光モジュール装置を示す図である。図１２の装置は、双方向であり、即ち光ファイバ送信側／光ファイバ受信側はすべてＯＴＤＲ非対称性検出光パルスを送信する。図１３は単一方向であり、即ち光ファイバ送信側又は光ファイバ受信側のみにＯＴＤＲ非対称性検出光パルスを送信する。
【０１４７】
正常なサービス光パルスは、ＬＤドライバとレーザーにより、１３１０ｎｍ又は１５５０ｎｍの波長で波長分割多重化装置に送信される。
【０１４８】
ＯＴＤＲコントローラによってコマンドを与え、ＯＴＤＲ非対称性検出装置は、コマンドを受信した後、ＯＴＤＲ非対称性検出光パルスを１６２５ｎｍの波長で波長分割多重化装置に送信する。
【０１４９】
ＷＤＭ波長分割多重化装置により、光モジュールからの正常なサービスメッセージと一緒に光ファイバに送信される。
【０１５０】
図１４は本発明の実施例４に係るＳｌａｖｅ側のＯＴＤＲ非対称性検出モジュールを示す図である。当該モジュールは、主にＯＴＤＲ非対称性検出光パルスを処理する。
【０１５１】
まずデータ処理モジュールによってＯＴＤＲ非対称性検出信号を開始し、そして信号送信時間ｔ１１を記録する。時間制御プロセッサ、テストパルス発生器、光電変換などにより、レーザーで波長１６２５ｎｍのＯＴＤＲ非対称性検出光パルスにロードにロードして送信する。
【０１５２】
ＯＴＤＲ非対称性検出光パルスと正常なサービス光パルスは、波長分割多重化装置により、光ファイバに送信される。ＯＴＤＲ光パルスは、散乱、反射現像により、この側（Ｓｌａｖｅ側）のＯＴＤＲ非対称性検出モジュールに返される。
【０１５３】
Ｓｌａｖｅ側：ファイバ側は、ＷＤＭ波長分割装置により信号を反射し、そして反射信号からＯＴＤＲ検出信号を分解し、ＯＴＤＲ非対称性検出モジュールに伝送し、ＯＴＤＲ非対称性検出装置によってＯＴＤＲ返し光情報を受信する。サンプリング周波数を設定し、一定の周波数でＯＴＤＲ返し情報を受信することができる。光電変換により、信号が増幅され、Ａ／Ｄが変換された後、ＯＴＤＲ検出データ即ち光ファイバにおける光の伝播速度、光ファイバ屈折率などの光ファイバ媒体情報を取得することができる。ＯＴＤＲ返し情報をデータ処理モジュールにフィードバックし、そして信号の返し時間ｔ２１を記録し、計算することで、光ファイバ伝送遅延を取得することができる。
【０１５４】
例えば：
ＯＴＤＲ非対称性検出信号の送信時間＝ｔ１１；
ＯＴＤＲ非対称性検出信号の返し時間＝ｔ２１；
ＯＴＤＲ光パルス伝送遅延Ｐ１１＝（ｔ２１-ｔ１＝１）／２；
光ファイバにおけるＯＴＤＲ光パルスの屈折率＝ｎ１１；
光ファイバにおける正常なサービスメッセージ光パルスの屈折率＝ｎ２１；
検出波長とサービス波長の屈折率比を比較することで、光ファイバにおける正常なサービスメッセージの伝送遅延Ｐ２１＝（ｎ２１／ｎ１１）×Ｐ１１を取得することができる。
【０１５５】
光パルスが光ファイバに伝送される場合、遅延に影響するパラメータは、比較的多く、例えば屈折率、散乱、反射などであるが、光ファイバにおける正常メッセージの伝送遅延は、主にＯＴＤＲ光パルス伝送遅延と比較するので、パラメータへの影響の一部が互いに相殺することができる。当該式は、一定の誤差が存在するが、占める割合が小さく、無視できる。
【０１５６】
同様に、別の光ファイバにおける正常なサービス光パルスの伝送遅延Ｐ２２＝（ｎ２２／ｎ１２）×Ｐ１２を取得することができる。
【０１５７】
ここで、ｔ２２が、Ｍａｓｔｅｒが前記検出光パルスを受信する時間であり、
ｔ１２が、Ｍａｓｔｅｒが前記検出光パルスを送信する時間であり、
Ｍａｓｔｅｒの光ファイバ送信側での検出光パルスの伝送遅延Ｐ１２＝（ｔ２２-ｔ１２）／２であり、
ｎ１２がＭａｓｔｅｒの光ファイバ送信側での前記検出光パルスの屈折率であり、
ｎ２２がＭａｓｔｅｒの光ファイバ送信側での前記サービスパルスの屈折率であると、
Ｍａｓｔｅｒの光ファイバ送信側でのサービス光パルスの伝送遅延がｐ２２＝（ｎ２２／ｎ１２）×Ｐ１２である。
【０１５８】
図１５は本発明の実施例４に係るＳｌａｖｅ側の非対称性遅延補償モジュールを示す図である。
【０１５９】
Ｓｌａｖｅ側：ＯＴＤＲ非対称性検出モジュールによって双方向光ファイバ伝送遅延Ｐ２１とＰ２２を非対称性遅延補償モジュールにフィードバックする。
【０１６０】
非対称性遅延補償モジュールは、双方向伝送遅延Ｐ２１とＰ２２に基づいて、双方向光ファイバの非対称性遅延Ｍを計算する。同時に、双方向非対称性遅延を秒ごとに数回計算する計算周波数を、設定する。
【０１６１】
双方向光ファイバ非対称遅延Ｍ＝Ｐ２１-Ｐ２２
【０１６２】
複数回の非対称遅延Ｍに基づいて平均値を取り、時間同期補正モジュールにフィードバックする。
【０１６３】
図１６は本発明の実施例４に係るＳｌａｖｅ側の時間同期補正モジュールを示す図である。
【０１６４】
Ｓｌａｖｅ側：時間同期補正モジュールは、主に双方向光ファイバ非対称性遅延Ｍに基づいて、システム時間を補正する。時間同期補正モジュールは、スタンプカウンタをさらにを含む。スタンプカウンタの時間とクロックはすべてシステム時間、システムクロックである。
【０１６５】
正常な１５８８時間同期計算式に従い、
１５８８プロトコルモジュールに対して、プロトコルメッセージがタイムスタンプカウンタにより、メッセージタイプに基づいてタイムスタンプを記録する。
【０１６６】
Ｍａｓｔｅｒ側：ＳｙｎｃメッセージがタイムスタンプＴ１を記録し、Ｄｅｌａｙ−ＲｅｓｐメッセージがタイムスタンプＴ４を記録する。
【０１６７】
Ｓｌａｖｅ側：ＳｙｎｃメッセージがタイムスタンプＴ１、Ｔ２を記録し、Ｄｅｌａｙ＿ｒｅｑメッセージがタイムスタンプＴ３を記録し、Ｄｅｌａｙ＿ｒｅｓｐメッセージがタイムスタンプＴ４を記録する。
【０１６８】
Ｍａｓｔｅｒ側とＳｌａｖｅ側の１５８８プロトコルメッセージは、正常にインタラクティブし、最終Ｓｌａｖｅ側が取得されるメッセージ伝送タイムスタンプはＴ１、Ｔ２、Ｔ３、Ｔ４である。Ｓｌａｖｅ側のタイムスタンプカウンタは、タイムスタンプＴ１、Ｔ２、Ｔ３およびＴ４を取得し、時間同期補正モジュールにフィードバックする。時間同期補正モジュールは、取得された双方向光ファイバ非対称性遅延Ｍ、及びＴ１、Ｔ２、Ｔ３、Ｔ４タイムスタンプに基づいて、時間補償値を計算し、ＳｌａｖｅネットワークエレメントがＭａｓｔｅｒネットワークエレメントの時間に従うのを完了し、１５８８時間同期を達成する。
【０１６９】
実施例５
図１７は本発明の実施例５に係る光ファイバの非対称性を自動的に検出する時間同期を示す図である。図に示すように、Ｍａｓｔｅｒ、Ｓｌａｖｅ双方向光ファイバの長さが対称しないので、１５８８メッセージの伝送遅延も異なる。
【０１７０】
Ｓｌａｖｅ側の送信側の光ファイバ伝送遅延がＰ２１であり、
Ｍａｓｔｅｒ側の送信側の光ファイバ伝送遅延がＰ２２であると仮定している。
【０１７１】
光パルスが光ファイバに伝送するので、双方向光ファイバの長さが対称しない以外、光ファイバの伝送が減衰し、コネクタが減衰し、使用が老化するなどの問題が双方向光ファイバ非対称性遅延を引き起こす。
【０１７２】
図１７に示す場面について、
(１)光ファイバ送信側又は光ファイバ受信側にＯＴＤＲ非対称性検出光パルスを送信すること、
(２)光ファイバ送信側／光ファイバ受信側にＯＴＤＲ非対称性検出光パルスを送信することという２種類の場合に分けることができる。
【０１７３】
（１）場面に対して、光ファイバ送信側又は光ファイバ受信側（ここで光ファイバ送信側のみを例にするが、光ファイバ受信側が同様に実現することがきる）のみにＯＴＤＲ非対称性検出光パルスを送信し、即ち、
Ｍａｓｔｅｒ、Ｓｌａｖｅ両側エレメントがすべてＯＴＤＲ非対称性検出装置を統合するので、双方向光ファイバの長さが対称しなく、光ファイバの伝送が減衰し、コネクタが減衰し、使用が老化するなどの問題によって引き起こされた双方向光ファイバ非対称性遅延Ｍをオンラインで検出し、最終ＳｌａｖｅによってＭａｓｔｅｒの時間を同期させ、そして双方向光ファイバの非対称性遅延に基づいて、非対称性遅延補償を行う。
【０１７４】
まずＭａｓｔｅｒ側によって１５８８プロトコルメッセージを開始し、時間同期モジュールが１５８８メッセージタイムスタンプを記録する。メッセージは、正常に光モジュールにより処理され、正常なサービスメッセージの波長でＳｌａｖｅ側に送信される。
【０１７５】
Ｓｌａｖｅ側は、１５８８プロトコルメッセージを受信し、メッセージ返信を行う。時間同期モジュールは、１５８８メッセージのタイムスタンプを記録する。メッセージは、正常に光モジュールにより処理され、正常なサービスメッセージの波長でＭａｓｔｅｒ側に送信される。
【０１７６】
ＭａｓｔｅｒとＳｌａｖｅの１５８８メッセージインタラクティブにより、時間同期モジュールは、１５８８メッセージのタイムスタンプＴ１／Ｔ２／Ｔ３／Ｔ４を記録することができる。当該ステップは、正常な１５８８メッセージインタラクティブプロセスに属し、１５８８メッセージインタラクティブと結合して双方向光ファイバ遅延補償を完了することができる。
【０１７７】
Ｍａｓｔｅｒ、Ｓｌａｖｅ側はすべて時間同期補正モジュール、遅延補償モジュール、ＯＴＤＲ非対称性検出モジュールを統合する。
【０１７８】
Ｓｌａｖｅ側：
コントローラによってＯＴＤＲ非対称性検出装置を制御し、検出信号を送信し、そして送信時間ｔ１１を記録する。ＯＴＤＲ検出信号に対して１６２５ｎｍの波長を使用すると仮定する。正常１５８８プロトコルメッセージとＯＴＤＲ非対称性検出光パルスは、ＷＤＭ波長分割多重化装置により光ファイバに伝送される。
【０１７９】
ＯＴＤＲ光パルスが散乱、反射現像を利用するので、一部のＯＴＤＲ光パルスは、Ｓｌａｖｅ側のＯＴＤＲ非対称性検出装置に返す。
【０１８０】
ＯＴＤＲ非対称性検出装置は、一定の周波数でＯＴＤＲ返し情報を受信する。光電の変換、信号の増幅、Ａ／Ｄの変換後、ＯＴＤＲ検出データを取得し、情報の返し時間ｔ２１を記録することができる。データ処理モジュールにフィードバックし、計算することで光ファイバ伝送遅延を取得でき、
例えば：
ＯＴＤＲ非対称性検出信号の送信時間＝ｔ１１；
ＯＴＤＲ非対称性検出信号の返し時間＝ｔ２１；
ＯＴＤＲ光パルスの伝送遅延Ｐ１１＝（ｔ２１-ｔ１１）／２；
光ファイバにおけるＯＴＤＲ光パルスの屈折率＝ｎ１１；
光ファイバにおける正常なサービスメッセージ光パルスの屈折率＝ｎ２１；
検出波長とサービス波長の屈折率比を比較することで、光ファイバにおける正常なサービスメッセージの伝送遅延Ｐ２１＝（ｎ２１／ｎ１１）×Ｐ１１を取得することができる。
【０１８１】
光パルスが光ファイバに伝送される場合、遅延に影響するパラメータは、比較的多く、例えば、屈折率、散乱、反射などであるが、光ファイバにおける正常メッセージの伝送遅延は、主にＯＴＤＲ光パルス伝送遅延と比較するので、パラメータへの影響の一部が互いに相殺することができる。当該式は、一定の誤差があるが、占める割合が比較的小さく、無視できる。
【０１８２】
同様に、Ｍａｓｔｅｒ側は、送信側の光ファイバ伝送遅延：Ｐ２２＝（ｎ２２／ｎ１２）×Ｐ１２を取得することができる。
【０１８３】
ここで、ｔ２２が、Ｍａｓｔｅｒが前記検出光パルスを受信する時間であり、
ｔ１２が、Ｍａｓｔｅｒが前記検出光パルスを送信する時間であり、
Ｍａｓｔｅｒの光ファイバ送信側での検出光パルスの伝送遅延がＰ１２＝（ｔ２２-ｔ１２）／２であり、
ｎ１２がＭａｓｔｅｒの光ファイバ送信側での前記検出パルスの屈折率であり、
ｎ２２がＭａｓｔｅｒの光ファイバ送信側での前記サービスパルスの屈折率であると、
Ｍａｓｔｅｒの光ファイバ送信側でのサービス光パルスの伝送遅延がＰ２２＝（ｎ２２／ｎ１２）×Ｐ１２である。
【０１８４】
Ｍａｓｔｅｒ、Ｓｌａｖｅは、それぞれの送信側の光ファイバ伝送遅延をそれぞれ検出し、Ｓｌａｖｅ側は、送信側の光ファイバ伝送遅延Ｐ２１のみを知るので、Ｍａｓｔｅｒ側は、その送信側の光ファイバ伝送遅延Ｐ２２をＳｌａｖｅ側に送信する必要がある。
【０１８５】
このようにすると、Ｓｌａｖｅ側のＯＴＤＲ非対称性検出モジュールは、双方向光ファイバ伝送遅延Ｐ２１とＰ２２を非対称性遅延モジュールにフィードバックすることができる。
【０１８６】
１５８８時間同期システムにおいて、Ｓｌａｖｅ側は、非対称性遅延補償を行う。
【０１８７】
Ｓｌａｖｅ側：ＯＴＤＲ非対称性検出モジュールによって、双方向光ファイバ伝送遅延Ｐ２１とＰ２２を非対称性遅延補償モジュールにフィードバックする。
【０１８８】
非対称性遅延補償モジュールは、双方向伝送遅延Ｐ２１とＰ２２に基づいて、双方向光ファイバ非対称性遅延Ｍを計算する。同時に、双方向非対称性遅延を秒ごとに数回計算する計算周波数を、設定する。
【０１８９】
双方向光ファイバ非対称性遅延Ｍ＝Ｐ２１-Ｐ２２
【０１９０】
複数の非対称性遅延Ｍに基づいて、平均値を取り、時間同期補正モジュールにフィードバックする。
【０１９１】
時間同期補正モジュールは、主に双方向光ファイバ非対称性遅延Ｍに基づいてシステム時間を補正する。時間同期補正モジュールは、タイムスタンプカウンタをさらに含む。タイムスタンプカウンタの時間とクロックは、すべてシステム時間、システムクロックである。
【０１９２】
Ｍａｓｔｅｒ側とＳｌａｖｅ側の１５８８プロトコルメッセージの正常なインタラクティブプロセスに従い、
１５８８プロトコルモジュールに対して、プロトコルメッセージがタイムスタンプカウンタにより、メッセージタイプに基づいてタイムスタンプを記録する。
【０１９３】
Ｍａｓｔｅｒ側：ＳｙｎｃメッセージがタイムスタンプＴ１を記録し、Ｄｅｌａｙ＿ＲｅｓｐメッセージがタイムスタンプＴ４を記録する。
【０１９４】
Ｓｌａｖｅ側：ＳｙｎｃメッセージがタイムスタンプＴ１、Ｔ２を記録し、Ｄｅｌａｙ＿ｒｅｑメッセージがタイムスタンプＴ３を記録し、Ｄｅｌａｙ＿ｒｅｓｐメッセージがタイムスタンプＴ４を記録する。
【０１９５】
最終に、Ｓｌａｖｅ側が取得されるメッセージ伝送タイムスタンプはＴ１、Ｔ２、Ｔ３およびＴ４である。Ｓｌａｖｅ側のタイムスタンプカウンタは、タイムスタンプＴ１、Ｔ２、Ｔ３およびＴ４を取得し、時間同期補正モジュールにフィードバックする。
【０１９６】
時間同期補正モジュールは、標準的な１５８８プロトコルにおける時間同期計算式を従う：
マスタとスレーブ（ＭａｓｔｅｒーＳｌａｖｅ）間の時間差＝Ｏｆｆｓｅｔ＋ＭＳ−Ｄｅｌａｙ＝Ｔ２-Ｔ１                        （１）、
スレーブとマスタ（ＳｌａｖｅｒーＭａｓｔｅ）間の時間差＝ＳＭ−Ｄｅｌａｙ-Ｏｆｆｓｅｔ＝Ｔ４-Ｔ３                        （２）
Ａ＝Ｔ２−Ｔ１、Ｂ＝Ｔ４−Ｔ３、マスタとスレーブ間のリンク遅延ＭＳ−Ｄｅｌａｙ＝Ｍａｓｔｅｒ側の光ファイバ伝送遅延Ｐ２２であり、スレーブとマスタ間のリンク遅延がＳＭ−Ｄｅｌａｙ＝Ｓｌａｖｅ側の光ファイバ伝送遅延Ｐ２１であると仮定すると、
Ｓｌａｖｅ側に、
マスタとスレーブ間の時間差＝Ｏｆｆｓｅｔ＋Ｐ２２＝Ａ    （１）
スレーブとマスタ間の時間差＝Ｐ２１-Ｏｆｆｓｅｔ＝Ｂ      （２）
Ｏｆｆｓｅｔ＝[（Ａ-Ｂ）＋（P２１−Ｐ２２）]／２
即ちＯｆｆｓｅｔ＝（（Ａ-Ｂ）＋Ｍ]／２を得ることができる。
【０１９７】
ＭａｓｔｅｒとＳｌａｖｅとの間に１５８８プロトコルメッセージインタラクティブを持続的に送信し、Ｓｌａｖｅ側は、双方向非対称性遅延Ｍ＝Ｐ２１-Ｐ２２に基づいてＯｆｆｓｅｔ値を連続的に補正し、マスタとスレーブ間の時間差を補正し、Ｓｌａｖｅの時間をＭａｓｔｅｒの時間に同期させる。
【０１９８】
シーン（２）に対して、双方向光ファイバ送信側／光ファイバ受信側はすべてＯＴＤＲ非対称性検出光パルスを送信し、即ち、
双方向即ち光ファイバ送信側／光ファイバ受信側はすべてＯＴＤＲ非対称性検出光パルスを送信すると仮定する。
【０１９９】
前記単一方向が光ファイバ送信側のみにＯＴＤＲ非対称性検出光パルスを送信すると基本的に同じである。
【０２００】
双方向ファイバ伝送遅延は、Ｍａｓｔｅｒ側がその光ファイバ送信側の伝送遅延をＳｌａｖｅ側に送信することなく、Ｓｌａｖｅ側によって直接に検出される。
【０２０１】
他の装置のプロセスは、すべて同じであるので、ここで繰り返して説明しない。
【０２０２】
上述したように、本発明は、以下の技術的効果を達成することが分かる。
【０２０３】
本発明の実施形態におけるスキームによれば、ＯＴＤＲ非対称性検出モジュールによってＯＴＤＲ非対称性検出光パルス（正常なサービス光パルスと異なる範囲の波長を使用する）を送信し、ＷＤＭ波長分割多重化装置で異なる波長の光パルスを多重化し、相手側装置に送信する。ＯＴＤＲ非対称性検出光パルスは、散乱、反射現像により、この側光モジュールにおけるＯＴＤＲ非対称性検出モジュールに返す。ＯＴＤＲ返し情報に基づいて、両側ネットワークエレメント間の双方向光ファイバの非対称性光ファイバ伝送遅延をオンラインで検出することで、双方向光ファイバの非対称性遅延を得ることができ、ＯＴＤＲ検出波長とサービス波長の屈折率比を使用して、サービス波長の双方向非対称性遅延を得て、１５８８時間伝送の光ファイバ非対称性補償を行い、システム時間を補正し、時間同期精度を向上させる。当該スキームにより、双方向非対称性遅延をオンラインで自動的に検出することができ、いつでもＯＴＤＲ非対称性検出により光ファイバ伝送遅延を判断し、１５８８時間伝送の光ファイバ非対称性補償をリアルタイムに調整し、時間周波数の同期精度を向上させ、無線ＴＤＤサービスの時間同期に対する需要を満たすことができる。
【０２０４】
明らかに、本分野の当業者に対して、上述した本発明の各モジュール又は各ステップが汎用計算装置で実現されることができ、それらが単一の計算装置に集中され、又は複数の計算装置からなるネットワークに分布されることができ、選択可能に、それらが計算装置によって実行可能なプログラムコードで実現されることができ、それによって、それらを記憶装置に記憶して計算装置によって実行することができ、且つある場合で、これと異なる順番で示された又は説明されたステップを実行し、又は、それらを各集積回路モジュールに作り、又はそれらのうちの複数のモジュール又はステップを単一の集積回路モジュールに作ることで実現されることができると理解すべきである。このようにして、本発明は、いかなる特定のハードウェアとソフトウェアの組み合わせに限定されるものではない。
【産業上の利用可能性】
【０２０５】
本発明の実施例において送信された検出信号と受信された、後方散乱／反射作用により反射された検出信号との時間差をオンラインで測定することで、光ファイバにおける検出信号の伝送遅延を確定し、さらに光ファイバにおけるサービス信号の伝送遅延を確定し、同時に双方向光ファイバ遅延を比較し、双方向光ファイバ遅延に基づいて双方向光ファイバ伝送の非対称性遅延を取得し、非対称性遅延補償を行い、このような方式で時間同期補正を行った後、双方向光ファイバの非対称性による影響を低減させ、従来技術において双方向光ファイバの長さの非対称性によって時間同期精度が悪いとの問題を解決し、時間同期精度を向上させる。
【図１】
0006422874.tif 000002
【図２】
0006422874.tif 000003
【図３】
0006422874.tif 000004
【図４】
0006422874.tif 000005
【図５】
0006422874.tif 000006
【図６】
0006422874.tif 000007
【図７】
0006422874.tif 000008
【図８】
0006422874.tif 000009
【図９】
0006422874.tif 000010
【図１０】
0006422874.tif 000011
【図１１】
0006422874.tif 000012
【図１２】
0006422874.tif 000013
【図１３】
0006422874.tif 000014
【図１４】
0006422874.tif 000015
【図１５】
0006422874.tif 000016
【図１６】
0006422874.tif 000017
【図１７】
0006422874.tif 000018